(57)【要約】【課題】  インク不足によって不完全な印刷が行われるのを防止するとともに、文書が読み手に与えるイメージを損なうのを防止するのに好適な文書出力支援システムを提供する。【解決手段】  文書作成装置１００は、配色ルールをイメージ語と対応付けて登録した配色ルール登録ＤＢ１０を備え、カラー文書のイメージ語を入力し、カラープリンタ２００で使用される各インクの残量を取得し、取得した残量および入力したイメージ語に基づいて配色ルール登録ＤＢ１０の配色ルールを評価し、その評価結果に基づいて複数の配色ルールを表示していずれかを選択すべきことをユーザに促す。ユーザがいずれかの配色ルールを選択すると、選択された配色ルールに基づいてカラー文書の配色を変更し、配色を変更した文書データに基づいて印刷データを生成してカラープリンタ２００に印刷要求とともに送信する。【選択図】  図１
2006031587.tif 000002
【特許請求の範囲】
【請求項１】
文書の出力を支援する文書出力支援システムであって、
前記文書の出力に伴って消耗する消耗品の利用度合いである利用度を取得する利用度取得手段と、
前記消耗品の利用度合いに影響を与える編集操作を前記文書に対して行うにあたってその基礎となる文書編集基礎情報を、前記文書が与える心理的効果である心理的効果情報と対応付けて記憶する文書編集基礎情報記憶手段と、
前記心理的効果情報を取得する心理的効果情報取得手段と、
前記利用度取得手段で取得した利用度および前記心理的効果情報取得手段で取得した心理的効果情報に基づいて、前記文書編集基礎情報記憶手段の文書編集基礎情報を評価する文書編集基礎情報評価手段と、
前記文書編集基礎情報評価手段の評価結果に基づいて、前記文書編集基礎情報記憶手段の文書編集基礎情報のうち複数の前記文書編集基礎情報を提示していずれかを選択すべきことを促し、前記文書編集基礎情報の選択を入力する文書編集基礎情報選択手段と、
前記文書編集基礎情報選択手段で選択された文書編集基礎情報に基づいて、前記文書に対して前記編集操作を行う文書編集操作手段とを備えることを特徴とする文書出力支援システム。
【請求項２】
文書の出力を支援する文書出力支援システムであって、
前記文書の出力に伴って消耗する消耗品の利用度合いである利用度を取得する利用度取得手段と、
前記消耗品の利用度合いに影響を与える編集操作を前記文書に対して行うにあたってその基礎となる文書編集基礎情報を、前記文書が与える心理的効果である心理的効果情報と対応付けて記憶する文書編集基礎情報記憶手段と、
前記心理的効果情報を取得する心理的効果情報取得手段と、
前記利用度取得手段で取得した利用度および前記心理的効果情報取得手段で取得した心理的効果情報に基づいて、前記文書編集基礎情報記憶手段の文書編集基礎情報を評価する文書編集基礎情報評価手段と、
前記文書編集基礎情報評価手段の評価結果に基づいて、前記文書編集基礎情報記憶手段のなかから前記文書編集基礎情報を選択する文書編集基礎情報選択手段と、
前記文書編集基礎情報選択手段で選択した文書編集基礎情報に基づいて、前記文書に対して前記編集操作を行う文書編集操作手段とを備えることを特徴とする文書出力支援システム。
【請求項３】
請求項１および２のいずれか１項において、
前記心理的効果情報取得手段に代えて、前記文書に基づいて前記心理的効果情報を推定する心理的効果情報推定手段を備えることを特徴とする文書出力支援システム。
【請求項４】
文書の印刷を支援する文書印刷支援システムであって、
複数色の着色剤を使用して前記文書を印刷する印刷装置の、前記各着色剤の残量を取得する着色剤残量取得手段と、
前記着色剤の使用量に影響を与える編集操作を前記文書に対して行うにあたってその基礎となる文書編集基礎情報を、前記文書が与える心理的効果である心理的効果情報と対応付けて記憶する文書編集基礎情報記憶手段と、
前記心理的効果情報を取得する心理的効果情報取得手段と、
前記着色剤残量取得手段で取得した残量および前記心理的効果情報取得手段で取得した心理的効果情報に基づいて、前記文書編集基礎情報記憶手段の文書編集基礎情報を評価する文書編集基礎情報評価手段と、
前記文書編集基礎情報評価手段の評価結果に基づいて、前記文書編集基礎情報記憶手段の文書編集基礎情報のうち複数の前記文書編集基礎情報を提示していずれかを選択すべきことを促し、前記文書編集基礎情報の選択を入力する文書編集基礎情報選択手段と、
前記文書編集基礎情報選択手段で選択された文書編集基礎情報に基づいて、前記文書に対して前記編集操作を行う文書編集操作手段とを備えることを特徴とする文書印刷支援システム。
【請求項５】
請求項４において、
前記文書編集基礎情報評価手段は、前記文書編集基礎情報記憶手段の文書編集基礎情報について、当該文書編集基礎情報に基づいて前記編集操作を行った文書を印刷した場合に当該文書の印刷に伴って使用される前記着色剤の使用量である予測使用量を計算し、前記文書編集基礎情報記憶手段の文書編集基礎情報のうち、前記予測使用量が、前記着色剤残量取得手段で取得した残量を超えないものに対して高い評価値を設定するようになっており、
前記文書編集基礎情報選択手段は、評価値の高い前記文書編集基礎情報ほど優先的に提示するようになっていることを特徴とする文書印刷支援システム。
【請求項６】
請求項５において、
前記文書編集基礎情報評価手段は、前記文書編集基礎情報記憶手段の文書編集基礎情報について、当該文書編集基礎情報に対応する心理的効果情報と、前記心理的効果情報取得手段で取得した心理的効果情報とが一致する度合いである一致度を求め、得られた一致度が大きいほど高い評価値を設定するようになっていることを特徴とする文書印刷支援システム。
【請求項７】
請求項４ないし６のいずれか１項において、
前記文書編集基礎情報は、前記文書の配色を規定した配色ルールであり、
前記文書編集操作手段は、前記配色ルールに基づいて前記文書の配色を変更するようになっていることを特徴とする文書印刷支援システム。
【請求項８】
請求項４ないし７のいずれか１項において、
前記心理的効果情報取得手段に代えて、前記文書に基づいて前記心理的効果情報を推定する心理的効果情報推定手段を備えることを特徴とする文書印刷支援システム。
【請求項９】
文書の印刷を支援する文書印刷支援システムであって、
複数色の着色剤を使用して前記文書を印刷する印刷装置の、前記各着色剤の残量を取得する着色剤残量取得手段と、
前記着色剤の使用量に影響を与える編集操作を前記文書に対して行うにあたってその基礎となる文書編集基礎情報を、前記文書が与える心理的効果である心理的効果情報と対応付けて記憶する文書編集基礎情報記憶手段と、
前記心理的効果情報を取得する心理的効果情報取得手段と、
前記着色剤残量取得手段で取得した残量および前記心理的効果情報取得手段で取得した心理的効果情報に基づいて、前記文書編集基礎情報記憶手段の文書編集基礎情報を評価する文書編集基礎情報評価手段と、
前記文書編集基礎情報評価手段の評価結果に基づいて、前記文書編集基礎情報記憶手段のなかから前記文書編集基礎情報を選択する文書編集基礎情報選択手段と、
前記文書編集基礎情報選択手段で選択した文書編集基礎情報に基づいて、前記文書に対して前記編集操作を行う文書編集操作手段とを備えることを特徴とする文書印刷支援システム。
【請求項１０】
文書の出力を支援する文書出力支援プログラムであって、
前記文書の出力に伴って消耗する消耗品の利用度合いである利用度を取得する利用度取得ステップと、
前記文書が与える心理的効果である心理的効果情報を取得する心理的効果情報取得ステップと、
前記利用度取得ステップで取得した利用度および前記心理的効果情報取得ステップで取得した心理的効果情報に基づいて、前記消耗品の利用度合いに影響を与える編集操作を前記文書に対して行うにあたってその基礎となる文書編集基礎情報を前記心理的効果情報と対応付けて記憶した文書編集基礎情報記憶手段の文書編集基礎情報を評価する文書編集基礎情報評価ステップと、
前記文書編集基礎情報評価ステップの評価結果に基づいて、前記文書編集基礎情報記憶手段の文書編集基礎情報のうち複数の前記文書編集基礎情報を提示していずれかを選択すべきことを促し、前記文書編集基礎情報の選択を入力する文書編集基礎情報選択ステップと、
前記文書編集基礎情報選択ステップで選択された文書編集基礎情報に基づいて、前記文書に対して前記編集操作を行う文書編集操作ステップとからなる処理をコンピュータに実行させるためのプログラムを含むことを特徴とする文書出力支援プログラム。
【請求項１１】
文書の出力を支援する文書出力支援プログラムであって、
前記文書の出力に伴って消耗する消耗品の利用度合いである利用度を取得する利用度取得ステップと、
前記文書が与える心理的効果である心理的効果情報を取得する心理的効果情報取得ステップと、
前記利用度取得ステップで取得した利用度および前記心理的効果情報取得ステップで取得した心理的効果情報に基づいて、前記消耗品の利用度合いに影響を与える編集操作を前記文書に対して行うにあたってその基礎となる文書編集基礎情報を前記心理的効果情報と対応付けて記憶した文書編集基礎情報記憶手段の文書編集基礎情報を評価する文書編集基礎情報評価ステップと、
前記文書編集基礎情報評価ステップの評価結果に基づいて、前記文書編集基礎情報記憶手段のなかから前記文書編集基礎情報を選択する文書編集基礎情報選択ステップと、
前記文書編集基礎情報選択ステップで選択した文書編集基礎情報に基づいて、前記文書に対して前記編集操作を行う文書編集操作ステップとからなる処理をコンピュータに実行させるためのプログラムを含むことを特徴とする文書出力支援プログラム。
【請求項１２】
請求項１０および１１のいずれか１項において、
前記心理的効果情報取得ステップからなる処理に代えて、前記文書に基づいて前記心理的効果情報を推定する心理的効果情報推定ステップからなる処理をコンピュータに実行させるためのプログラムを含むことを特徴とする文書出力支援プログラム。
【請求項１３】
文書の印刷を支援する文書印刷支援プログラムであって、
複数色の着色剤を使用して前記文書を印刷する印刷装置の、前記各着色剤の残量を取得する着色剤残量取得ステップと、
前記文書が与える心理的効果である心理的効果情報を取得する心理的効果情報取得ステップと、
前記着色剤残量取得ステップで取得した残量および前記心理的効果情報取得ステップで取得した心理的効果情報に基づいて、前記着色剤の使用量に影響を与える編集操作を前記文書に対して行うにあたってその基礎となる文書編集基礎情報を前記心理的効果情報と対応付けて記憶した文書編集基礎情報記憶手段の文書編集基礎情報を評価する文書編集基礎情報評価ステップと、
前記文書編集基礎情報評価ステップの評価結果に基づいて、前記文書編集基礎情報記憶手段の文書編集基礎情報のうち複数の前記文書編集基礎情報を提示していずれかを選択すべきことを促し、前記文書編集基礎情報の選択を入力する文書編集基礎情報選択ステップと、
前記文書編集基礎情報選択ステップで選択された文書編集基礎情報に基づいて、前記文書に対して前記編集操作を行う文書編集操作ステップとからなる処理をコンピュータに実行させるためのプログラムを含むことを特徴とする文書印刷支援プログラム。
【請求項１４】
文書の印刷を支援する文書印刷支援プログラムであって、
複数色の着色剤を使用して前記文書を印刷する印刷装置の、前記各着色剤の残量を取得する着色剤残量取得ステップと、
前記文書が与える心理的効果である心理的効果情報を取得する心理的効果情報取得ステップと、
前記着色剤残量取得ステップで取得した残量および前記心理的効果情報取得ステップで取得した心理的効果情報に基づいて、前記着色剤の使用量に影響を与える編集操作を前記文書に対して行うにあたってその基礎となる文書編集基礎情報を前記心理的効果情報と対応付けて記憶した文書編集基礎情報記憶手段の文書編集基礎情報を評価する文書編集基礎情報評価ステップと、
前記文書編集基礎情報評価ステップの評価結果に基づいて、前記文書編集基礎情報記憶手段のなかから前記文書編集基礎情報を選択する文書編集基礎情報選択ステップと、
前記文書編集基礎情報選択ステップで選択した文書編集基礎情報に基づいて、前記文書に対して前記編集操作を行う文書編集操作ステップとからなる処理をコンピュータに実行させるためのプログラムを含むことを特徴とする文書印刷支援プログラム。
【請求項１５】
文書の出力を支援する文書出力支援方法であって、
前記文書の出力に伴って消耗する消耗品の利用度合いである利用度を取得する利用度取得ステップと、
前記文書が与える心理的効果である心理的効果情報を取得する心理的効果情報取得ステップと、
前記利用度取得ステップで取得した利用度および前記心理的効果情報取得ステップで取得した心理的効果情報に基づいて、前記消耗品の利用度合いに影響を与える編集操作を前記文書に対して行うにあたってその基礎となる文書編集基礎情報を前記心理的効果情報と対応付けて記憶した文書編集基礎情報記憶手段の文書編集基礎情報を評価する文書編集基礎情報評価ステップと、
前記文書編集基礎情報評価ステップの評価結果に基づいて、前記文書編集基礎情報記憶手段の文書編集基礎情報のうち複数の前記文書編集基礎情報を提示していずれかを選択すべきことを促し、前記文書編集基礎情報の選択を入力する文書編集基礎情報選択ステップと、
前記文書編集基礎情報選択ステップで選択された文書編集基礎情報に基づいて、前記文書に対して前記編集操作を行う文書編集操作ステップとを含むことを特徴とする文書出力支援方法。
【請求項１６】
文書の出力を支援する文書出力支援方法であって、
前記文書の出力に伴って消耗する消耗品の利用度合いである利用度を取得する利用度取得ステップと、
前記文書が与える心理的効果である心理的効果情報を取得する心理的効果情報取得ステップと、
前記利用度取得ステップで取得した利用度および前記心理的効果情報取得ステップで取得した心理的効果情報に基づいて、前記消耗品の利用度合いに影響を与える編集操作を前記文書に対して行うにあたってその基礎となる文書編集基礎情報を前記心理的効果情報と対応付けて記憶した文書編集基礎情報記憶手段の文書編集基礎情報を評価する文書編集基礎情報評価ステップと、
前記文書編集基礎情報評価ステップの評価結果に基づいて、前記文書編集基礎情報記憶手段のなかから前記文書編集基礎情報を選択する文書編集基礎情報選択ステップと、
前記文書編集基礎情報選択ステップで選択した文書編集基礎情報に基づいて、前記文書に対して前記編集操作を行う文書編集操作ステップとを含むことを特徴とする文書出力支援方法。
【請求項１７】
請求項１５および１６のいずれか１項において、
前記心理的効果情報取得ステップに代えて、前記文書に基づいて前記心理的効果情報を推定する心理的効果情報推定ステップを含むことを特徴とする文書出力支援方法。
【請求項１８】
文書の印刷を支援する文書印刷支援方法であって、
複数色の着色剤を使用して前記文書を印刷する印刷装置の、前記各着色剤の残量を取得する着色剤残量取得ステップと、
前記文書が与える心理的効果である心理的効果情報を取得する心理的効果情報取得ステップと、
前記着色剤残量取得ステップで取得した残量および前記心理的効果情報取得ステップで取得した心理的効果情報に基づいて、前記着色剤の使用量に影響を与える編集操作を前記文書に対して行うにあたってその基礎となる文書編集基礎情報を前記心理的効果情報と対応付けて記憶した文書編集基礎情報記憶手段の文書編集基礎情報を評価する文書編集基礎情報評価ステップと、
前記文書編集基礎情報評価ステップの評価結果に基づいて、前記文書編集基礎情報記憶手段の文書編集基礎情報のうち複数の前記文書編集基礎情報を提示していずれかを選択すべきことを促し、前記文書編集基礎情報の選択を入力する文書編集基礎情報選択ステップと、
前記文書編集基礎情報選択ステップで選択された文書編集基礎情報に基づいて、前記文書に対して前記編集操作を行う文書編集操作ステップとを含むことを特徴とする文書印刷支援方法。
【請求項１９】
文書の印刷を支援する文書印刷支援方法であって、
複数色の着色剤を使用して前記文書を印刷する印刷装置の、前記各着色剤の残量を取得する着色剤残量取得ステップと、
前記文書が与える心理的効果である心理的効果情報を取得する心理的効果情報取得ステップと、
前記着色剤残量取得ステップで取得した残量および前記心理的効果情報取得ステップで取得した心理的効果情報に基づいて、前記着色剤の使用量に影響を与える編集操作を前記文書に対して行うにあたってその基礎となる文書編集基礎情報を前記心理的効果情報と対応付けて記憶した文書編集基礎情報記憶手段の文書編集基礎情報を評価する文書編集基礎情報評価ステップと、
前記文書編集基礎情報評価ステップの評価結果に基づいて、前記文書編集基礎情報記憶手段のなかから前記文書編集基礎情報を選択する文書編集基礎情報選択ステップと、
前記文書編集基礎情報選択ステップで選択した文書編集基礎情報に基づいて、前記文書に対して前記編集操作を行う文書編集操作ステップとを含むことを特徴とする文書印刷支援方法。
【発明の詳細な説明】
【技術分野】
【０００１】
本発明は、文書の出力を支援するシステムおよびプログラム、並びに方法に係り、特に、インク不足によって不完全な印刷が行われるのを防止するとともに、文書が読み手に与えるイメージを損なうのを防止するのに好適な文書出力支援システム、文書印刷支援システム、文書出力支援プログラムおよび文書印刷支援プログラム、並びに文書出力支援方法および文書印刷支援方法に関する。
【背景技術】
【０００２】
文書に配色を施してカタログやパンフレット等のカラー文書を作成する際に、ユーザが配色を施す作業を支援する技術としては、例えば、特許文献１記載の画像処理装置があった。
特許文献１記載の発明は、画像をカラー表示する画像表示部と、同時使用に適する一群の色で構成される配色群を複数組記憶するメモリと、画像の色付けする領域を指定する領域入力部と、メモリのなかから配色群の１組を指定して指定配色群の色から指定領域に色付けする色を指定する編集データ入力部と、編集データ入力部で指定された色を指定領域に色付けする色付け処理部とで構成されている。
【０００３】
カラープリンタでカラー文書を印刷する場合、カラープリンタにインクが十分に充填されていないと、印刷中にインクが不足し、カラー文書を完全に印刷することができないことがある。特許文献１記載の発明にあっては、簡単に好みの雰囲気の配色を決定することができるが、インク不足によって印刷が完全に行えないという問題までは解決することができない。
【０００４】
従来、カラープリンタのインク残量を考慮して配色を行う技術としては、例えば、特許文献２記載の印刷装置があった。
特許文献２記載の発明は、複数の基本構成色インクによりカラー入力データをカラー印刷することが可能な印刷装置において、基本構成色インクの各残量を検出するインク残量検出部と、インク残量検出部の検出の結果、基本構成色インクの残量が少ないと判断された場合に、その残量の少ないインク色を他の色インクを合成して置き換える制御部とで構成されている。
【特許文献１】特開平６−３３３００２号公報
【特許文献２】特開平８−１１８７３５号公報
【発明の開示】
【発明が解決しようとする課題】
【０００５】
しかしながら、特許文献２記載の発明にあっては、残量の少ないインク色を他の色のインクを合成して置き換えるようになっているため、文書が読み手に与えるイメージを損なう可能性がある。例えば、さわやかなイメージを文書に持たせることをコンセプトとしてそれを実現するため所定の配色パターンを用いて文書を作成したが、その文書の印刷に必要なインク残量が少ないため他の色に置き換えられた結果、印刷された文書の配色パターンがさわやかなイメージを想起させないものとなると、文書が読み手に与えるイメージを損なってしまう。
【０００６】
そこで、本発明は、このような従来の技術の有する未解決の課題に着目してなされたものであって、インク不足によって不完全な印刷が行われるのを防止するとともに、文書が読み手に与えるイメージを損なうのを防止するのに好適な文書出力支援システム、文書印刷支援システム、文書出力支援プログラムおよび文書印刷支援プログラム、並びに文書出力支援方法および文書印刷支援方法を提供することを目的としている。
【課題を解決するための手段】
【０００７】
〔発明１〕  上記目的を達成するために、発明１の文書出力支援システムは、
文書の出力を支援する文書出力支援システムであって、
前記文書の出力に伴って消耗する消耗品の利用度合いである利用度を取得する利用度取得手段と、
前記消耗品の利用度合いに影響を与える編集操作を前記文書に対して行うにあたってその基礎となる文書編集基礎情報を、前記文書が与える心理的効果である心理的効果情報と対応付けて記憶する文書編集基礎情報記憶手段と、
前記心理的効果情報を取得する心理的効果情報取得手段と、
前記利用度取得手段で取得した利用度および前記心理的効果情報取得手段で取得した心理的効果情報に基づいて、前記文書編集基礎情報記憶手段の文書編集基礎情報を評価する文書編集基礎情報評価手段と、
前記文書編集基礎情報評価手段の評価結果に基づいて、前記文書編集基礎情報記憶手段の文書編集基礎情報のうち複数の前記文書編集基礎情報を提示していずれかを選択すべきことを促し、前記文書編集基礎情報の選択を入力する文書編集基礎情報選択手段と、
前記文書編集基礎情報選択手段で選択された文書編集基礎情報に基づいて、前記文書に対して前記編集操作を行う文書編集操作手段とを備えることを特徴とする。
【０００８】
このような構成であれば、利用度取得手段により、消耗品の利用度が取得され、心理的効果情報取得手段により、文書の心理的効果情報が取得される。そして、文書編集基礎情報評価手段により、取得された利用度および心理的効果情報に基づいて、文書編集基礎情報記憶手段の文書編集基礎情報が評価され、文書編集基礎情報選択手段により、その評価結果に基づいて、文書編集基礎情報記憶手段の文書編集基礎情報のうち複数の文書編集基礎情報が提示されていずれかを選択すべきことが促される。ここで、いずれかの文書編集基礎情報を選択すると、文書編集操作手段により、選択された文書編集基礎情報に基づいて、文書に対して編集操作が行われる。この編集操作は、消耗品の利用度合いに影響を与える操作なので、文書に既に適用されている編集操作以外の編集操作が行われた場合、編集操作の前後において、文書の出力に伴って消耗する消耗品の利用度合いが変化する。
【０００９】
これにより、消耗品の利用度および文書の心理的効果を考慮して、文書に対して編集操作を行うことができるので、従来に比して、消耗品不足によって不完全な出力が行われる可能性を低減することができるとともに、文書が与える心理的効果が損なわれる可能性を低減することができるという効果が得られる。
ここで、利用度は、文書の出力に伴って消耗する消耗品の利用度合いをいい、これには、消耗品の利用量、利用率、利用頻度その他利用度合いが含まれる。また、消耗品の利用量には、消耗量だけでなく残量も含まれる。以下、発明２の文書出力支援システム、発明１０および１１の文書出力支援プログラム、並びに発明１９および２０の文書出力支援方法において同じである。
【００１０】
また、利用度取得手段は、消耗品の利用度を取得するようになっていればどのような構成であってもよく、例えば、入力装置等から利用度を入力するようになっていてもよいし、外部の端末等から利用度を獲得または受信するようになっていてもよいし、記憶装置等から利用度を読み出すようになっていてもよい。したがって、取得には、少なくとも入力、獲得、受信および読出が含まれる。以下、発明２の文書出力支援システムにおいて同じである。
【００１１】
また、心理的効果情報取得手段は、心理的効果情報を取得するようになっていればどのような構成であってもよく、例えば、入力装置等から心理的効果情報を入力するようになっていてもよいし、文書から心理的効果情報を抽出するようになっていてもよいし、外部の端末等から心理的効果情報を獲得または受信するようになっていてもよいし、記憶装置等から心理的効果情報を読み出すようになっていてもよい。したがって、取得には、少なくとも入力、抽出、獲得、受信および読出が含まれる。以下、発明２の文書出力支援システム、並びに発明４および９の文書印刷支援システムにおいて同じである。
【００１２】
また、提示とは、文書編集基礎情報を表示装置等で表示することのほか、文書編集基礎情報を印刷装置等で印刷すること、文書編集基礎情報を音声出力装置等で音声出力すること、および、ネットワークを介してユーザ端末と通信する場合は、文書編集基礎情報をユーザ端末に送信することも含まれる。したがって、提示には、少なくとも表示、印刷、音声出力および送信が含まれる。以下、発明４の文書印刷支援システム、発明１０の文書出力支援プログラム、発明１３の文書印刷支援プログラム、発明１９の文書出力支援方法、および発明２２の文書印刷支援方法において同じである。
【００１３】
また、文書編集基礎情報を提示することには、文書編集基礎情報そのものを提示することのほか、文書編集基礎情報を識別するための識別情報を提示することも含まれる。識別情報としては、例えば、文書編集基礎情報を模式化した図、文書編集基礎情報のリンク先、または文書編集基礎情報の名称、番号若しくはＩＤが考えられる。以下、発明４の文書印刷支援システム、発明１０の文書出力支援プログラム、発明１３の文書印刷支援プログラム、発明１９の文書出力支援方法、および発明２２の文書印刷支援方法において同じである。
【００１４】
また、文書編集基礎情報記憶手段は、文書編集基礎情報および心理的効果情報をあらゆる手段でかつあらゆる時期に記憶するものであり、文書編集基礎情報または心理的効果情報をあらかじめ記憶してあるものであってもよいし、文書編集基礎情報または心理的効果情報をあらかじめ記憶することなく、本システムの動作時に外部からの入力等によって文書編集基礎情報または心理的効果情報を記憶するようになっていてもよい。以下、発明２の文書出力支援システム、並びに発明４および９の文書印刷支援システムにおいて同じである。
【００１５】
また、本システムは、単一の装置、端末その他の機器として実現するようにしてもよいし、複数の装置、端末その他の機器を通信可能に接続したネットワークシステムとして実現するようにしてもよい。後者の場合、各構成要素は、それぞれ通信可能に接続されていれば、複数の機器等のうちいずれに属していてもよい。以下、発明２の文書出力支援システム、並びに発明４および９の文書印刷支援システムにおいて同じである。
【００１６】
〔発明２〕  さらに、発明２の文書出力支援システムは、
文書の出力を支援する文書出力支援システムであって、
前記文書の出力に伴って消耗する消耗品の利用度合いである利用度を取得する利用度取得手段と、
前記消耗品の利用度合いに影響を与える編集操作を前記文書に対して行うにあたってその基礎となる文書編集基礎情報を、前記文書が与える心理的効果である心理的効果情報と対応付けて記憶する文書編集基礎情報記憶手段と、
前記心理的効果情報を取得する心理的効果情報取得手段と、
前記利用度取得手段で取得した利用度および前記心理的効果情報取得手段で取得した心理的効果情報に基づいて、前記文書編集基礎情報記憶手段の文書編集基礎情報を評価する文書編集基礎情報評価手段と、
前記文書編集基礎情報評価手段の評価結果に基づいて、前記文書編集基礎情報記憶手段のなかから前記文書編集基礎情報を選択する文書編集基礎情報選択手段と、
前記文書編集基礎情報選択手段で選択した文書編集基礎情報に基づいて、前記文書に対して前記編集操作を行う文書編集操作手段とを備えることを特徴とする。
【００１７】
このような構成であれば、利用度取得手段により、消耗品の利用度が取得され、心理的効果情報取得手段により、文書の心理的効果情報が取得される。次いで、文書編集基礎情報評価手段により、取得された利用度および心理的効果情報に基づいて、文書編集基礎情報記憶手段の文書編集基礎情報が評価され、文書編集基礎情報選択手段により、その評価結果に基づいて、文書編集基礎情報記憶手段のなかから文書編集基礎情報が選択される。そして、文書編集操作手段により、選択された文書編集基礎情報に基づいて、文書に対して編集操作が行われる。この編集操作は、消耗品の利用度合いに影響を与える操作なので、文書に既に適用されている編集操作以外の編集操作が行われた場合、編集操作の前後において、文書の出力に伴って消耗する消耗品の利用度合いが変化する。
【００１８】
これにより、消耗品の利用度および文書の心理的効果を考慮して、文書に対して編集操作を行うことができるので、従来に比して、消耗品不足によって不完全な出力が行われる可能性を低減することができるとともに、文書が与える心理的効果が損なわれる可能性を低減することができるという効果が得られる。
【００１９】
〔発明３〕  さらに、発明３の文書出力支援システムは、発明１および２のいずれか１の文書出力支援システムにおいて、
前記心理的効果情報取得手段に代えて、前記文書に基づいて前記心理的効果情報を推定する心理的効果情報推定手段を備えることを特徴とする。
【００２０】
このような構成であれば、心理的効果情報推定手段により、文書に基づいて心理的効果情報が推定され、文書編集基礎情報評価手段により、取得された利用度および推定された心理的効果情報に基づいて、文書編集基礎情報記憶手段の文書編集基礎情報が評価される。
これにより、文書を与えるだけで文書を出力することができるので、消耗品が不足してもそうでない場合と同様の手順で文書を出力することができるという効果が得られる。
【００２１】
〔発明４〕  一方、上記目的を達成するために、発明４の文書印刷支援システムは、
文書の印刷を支援する文書印刷支援システムであって、
複数色の着色剤を使用して前記文書を印刷する印刷装置の、前記各着色剤の残量を取得する着色剤残量取得手段と、
前記着色剤の使用量に影響を与える編集操作を前記文書に対して行うにあたってその基礎となる文書編集基礎情報を、前記文書が与える心理的効果である心理的効果情報と対応付けて記憶する文書編集基礎情報記憶手段と、
前記心理的効果情報を取得する心理的効果情報取得手段と、
前記着色剤残量取得手段で取得した残量および前記心理的効果情報取得手段で取得した心理的効果情報に基づいて、前記文書編集基礎情報記憶手段の文書編集基礎情報を評価する文書編集基礎情報評価手段と、
前記文書編集基礎情報評価手段の評価結果に基づいて、前記文書編集基礎情報記憶手段の文書編集基礎情報のうち複数の前記文書編集基礎情報を提示していずれかを選択すべきことを促し、前記文書編集基礎情報の選択を入力する文書編集基礎情報選択手段と、
前記文書編集基礎情報選択手段で選択された文書編集基礎情報に基づいて、前記文書に対して前記編集操作を行う文書編集操作手段とを備えることを特徴とする。
【００２２】
このような構成であれば、着色剤残量取得手段により、各着色剤の残量が取得され、心理的効果情報取得手段により、文書の心理的効果情報が取得される。そして、文書編集基礎情報評価手段により、取得された残量および心理的効果情報に基づいて、文書編集基礎情報記憶手段の文書編集基礎情報が評価され、文書編集基礎情報選択手段により、その評価結果に基づいて、文書編集基礎情報記憶手段の文書編集基礎情報のうち複数の文書編集基礎情報が提示されていずれかを選択すべきことが促される。ここで、いずれかの文書編集基礎情報を選択すると、文書編集操作手段により、選択された文書編集基礎情報に基づいて、文書に対して編集操作が行われる。この編集操作は、着色剤の使用量に影響を与える操作なので、文書に既に適用されている編集操作以外の編集操作が行われた場合、編集操作の前後において、文書の印刷に伴って使用される着色剤の使用量が変化する。
【００２３】
これにより、各着色剤の残量および文書の心理的効果を考慮して、文書に対して編集操作を行うことができるので、従来に比して、着色剤不足によって不完全な印刷が行われる可能性を低減することができるとともに、文書が与える心理的効果が損なわれる可能性を低減することができるという効果が得られる。
ここで、着色剤残量取得手段は、各着色剤の残量を取得するようになっていればどのような構成であってもよく、例えば、入力装置等から残量を入力するようになっていてもよいし、印刷装置またはその他の端末から残量を獲得または受信するようになっていてもよいし、記憶装置等から残量を読み出すようになっていてもよい。したがって、取得には、少なくとも入力、獲得、受信および読出が含まれる。以下、発明９の文書印刷支援システムにおいて同じである。
【００２４】
〔発明５〕  さらに、発明５の文書印刷支援システムは、発明４の文書印刷支援システムにおいて、
前記文書編集基礎情報評価手段は、前記文書編集基礎情報記憶手段の文書編集基礎情報について、当該文書編集基礎情報に基づいて前記編集操作を行った文書を印刷した場合に当該文書の印刷に伴って使用される前記着色剤の使用量である予測使用量を計算し、前記文書編集基礎情報記憶手段の文書編集基礎情報のうち、前記予測使用量が、前記着色剤残量取得手段で取得した残量を超えないものに対して高い評価値を設定するようになっており、
前記文書編集基礎情報選択手段は、評価値の高い前記文書編集基礎情報ほど優先的に提示するようになっていることを特徴とする。
【００２５】
このような構成であれば、文書編集基礎情報評価手段により、文書編集基礎情報記憶手段の文書編集基礎情報について、その文書編集基礎情報に基づいて編集操作を行った文書を印刷した場合にその文書の印刷に伴って使用される着色剤の使用量が予測され、文書編集基礎情報記憶手段の文書編集基礎情報のうち予測使用量が着色剤の残量を超えないものに対して高い評価値が設定される。そして、文書編集基礎情報選択手段により、評価値の高い文書編集基礎情報ほど優先的に提示される。
これにより、予測使用量が着色剤の残量を超えない文書編集基礎情報が優先的に提示されるので、着色剤不足によって不完全な印刷が行われる可能性をさらに低減することができるという効果が得られる。
【００２６】
〔発明６〕  さらに、発明６の文書印刷支援システムは、発明５の文書印刷支援システムにおいて、
前記文書編集基礎情報評価手段は、前記文書編集基礎情報記憶手段の文書編集基礎情報について、当該文書編集基礎情報に対応する心理的効果情報と、前記心理的効果情報取得手段で取得した心理的効果情報とが一致する度合いである一致度を求め、得られた一致度が大きいほど高い評価値を設定するようになっていることを特徴とする。
【００２７】
このような構成であれば、文書編集基礎情報評価手段により、文書編集基礎情報記憶手段の文書編集基礎情報について、その文書編集基礎情報に対応する心理的効果情報と、取得された心理的効果情報との一致度が求められ、得られた一致度が大きいほど高い評価値が設定される。そして、文書編集基礎情報選択手段により、評価値の高い文書編集基礎情報ほど優先的に提示される。
これにより、文書の心理的効果情報との一致度が大きい文書編集基礎情報が優先的に提示されるので、文書が与える心理的効果が損なわれる可能性をさらに低減することができるという効果が得られる。
【００２８】
〔発明７〕  さらに、発明７の文書印刷支援システムは、発明４ないし６のいずれか１の文書印刷支援システムにおいて、
前記文書編集基礎情報は、前記文書の配色を規定した配色ルールであり、
前記文書編集操作手段は、前記配色ルールに基づいて前記文書の配色を変更するようになっていることを特徴とする。
【００２９】
このような構成であれば、文書編集基礎情報評価手段により、取得された残量および心理的効果情報に基づいて、文書編集基礎情報記憶手段の配色ルールが評価され、文書編集基礎情報選択手段により、その評価結果に基づいて、文書編集基礎情報記憶手段の配色ルールのうち複数の配色ルールが提示されていずれかを選択すべきことが促される。ここで、いずれかの配色ルールを選択すると、文書編集操作手段により、選択された配色ルールに基づいて文書の配色が変更される。
これにより、各着色剤の残量および文書の心理的効果を考慮して、文書の配色を変更することができるので、文書が与える心理的効果が損なわれる可能性をさらに低減することができるという効果が得られる。
【００３０】
〔発明８〕  さらに、発明８の文書印刷支援システムは、発明４ないし７のいずれか１の文書印刷支援システムにおいて、
前記心理的効果情報取得手段に代えて、前記文書に基づいて前記心理的効果情報を推定する心理的効果情報推定手段を備えることを特徴とする。
【００３１】
このような構成であれば、心理的効果情報推定手段により、文書に基づいて心理的効果情報が推定され、文書編集基礎情報評価手段により、取得された残量および推定された心理的効果情報に基づいて、文書編集基礎情報記憶手段の文書編集基礎情報が評価される。
これにより、文書を与えるだけで文書を印刷することができるので、着色剤が不足してもそうでない場合と同様の手順で文書を印刷することができるという効果が得られる。
【００３２】
〔発明９〕  さらに、発明９の文書印刷支援システムは、
文書の印刷を支援する文書印刷支援システムであって、
複数色の着色剤を使用して前記文書を印刷する印刷装置の、前記各着色剤の残量を取得する着色剤残量取得手段と、
前記着色剤の使用量に影響を与える編集操作を前記文書に対して行うにあたってその基礎となる文書編集基礎情報を、前記文書が与える心理的効果である心理的効果情報と対応付けて記憶する文書編集基礎情報記憶手段と、
前記心理的効果情報を取得する心理的効果情報取得手段と、
前記着色剤残量取得手段で取得した残量および前記心理的効果情報取得手段で取得した心理的効果情報に基づいて、前記文書編集基礎情報記憶手段の文書編集基礎情報を評価する文書編集基礎情報評価手段と、
前記文書編集基礎情報評価手段の評価結果に基づいて、前記文書編集基礎情報記憶手段のなかから前記文書編集基礎情報を選択する文書編集基礎情報選択手段と、
前記文書編集基礎情報選択手段で選択した文書編集基礎情報に基づいて、前記文書に対して前記編集操作を行う文書編集操作手段とを備えることを特徴とする。
【００３３】
このような構成であれば、着色剤残量取得手段により、各着色剤の残量が取得され、心理的効果情報取得手段により、文書の心理的効果情報が取得される。次いで、文書編集基礎情報評価手段により、取得された残量および心理的効果情報に基づいて、文書編集基礎情報記憶手段の文書編集基礎情報が評価され、文書編集基礎情報選択手段により、その評価結果に基づいて、文書編集基礎情報記憶手段のなかから文書編集基礎情報が選択される。そして、文書編集操作手段により、選択された文書編集基礎情報に基づいて、文書に対して編集操作が行われる。この編集操作は、着色剤の使用量に影響を与える操作なので、文書に既に適用されている編集操作以外の編集操作が行われた場合、編集操作の前後において、文書の印刷に伴って使用される着色剤の使用量が変化する。
【００３４】
これにより、各着色剤の残量および文書の心理的効果を考慮して、文書に対して編集操作を行うことができるので、従来に比して、着色剤不足によって不完全な印刷が行われる可能性を低減することができるとともに、文書が与える心理的効果が損なわれる可能性を低減することができるという効果が得られる。
【００３５】
〔発明１０〕  一方、上記目的を達成するために、発明１０の文書出力支援プログラムは、
文書の出力を支援する文書出力支援プログラムであって、
前記文書の出力に伴って消耗する消耗品の利用度合いである利用度を取得する利用度取得ステップと、
前記文書が与える心理的効果である心理的効果情報を取得する心理的効果情報取得ステップと、
前記利用度取得ステップで取得した利用度および前記心理的効果情報取得ステップで取得した心理的効果情報に基づいて、前記消耗品の利用度合いに影響を与える編集操作を前記文書に対して行うにあたってその基礎となる文書編集基礎情報を前記心理的効果情報と対応付けて記憶した文書編集基礎情報記憶手段の文書編集基礎情報を評価する文書編集基礎情報評価ステップと、
前記文書編集基礎情報評価ステップの評価結果に基づいて、前記文書編集基礎情報記憶手段の文書編集基礎情報のうち複数の前記文書編集基礎情報を提示していずれかを選択すべきことを促し、前記文書編集基礎情報の選択を入力する文書編集基礎情報選択ステップと、
前記文書編集基礎情報選択ステップで選択された文書編集基礎情報に基づいて、前記文書に対して前記編集操作を行う文書編集操作ステップとからなる処理をコンピュータに実行させるためのプログラムを含むことを特徴とする。
【００３６】
このような構成であれば、コンピュータによってプログラムが読み取られ、読み取られたプログラムに従ってコンピュータが処理を実行すると、発明１の文書出力支援システムと同等の作用および効果が得られる。
ここで、利用度取得ステップは、消耗品の利用度を取得すればどのような形態であってもよく、例えば、入力装置等から利用度を入力してもよいし、外部の端末等から利用度を獲得または受信してもよいし、記憶装置等から利用度を読み出してもよい。したがって、取得には、少なくとも入力、獲得、受信および読出が含まれる。以下、発明１１の文書出力支援プログラム、並びに発明１９および２０の文書出力支援方法において同じである。
【００３７】
また、心理的効果情報取得ステップは、心理的効果情報を取得すればどのような形態であってもよく、例えば、入力装置等から心理的効果情報を入力してもよいし、文書から心理的効果情報を抽出してもよいし、外部の端末等から心理的効果情報を獲得または受信してもよいし、記憶装置等から心理的効果情報を読み出してもよい。したがって、取得には、少なくとも入力、抽出、獲得、受信および読出が含まれる。以下、発明１１の文書出力支援プログラム、発明１３および１８の文書印刷支援プログラム、発明１９および２０の文書出力支援方法、並びに発明２２および２７の文書印刷支援方法において同じである。
【００３８】
〔発明１１〕  さらに、発明１１の文書出力支援プログラムは、
文書の出力を支援する文書出力支援プログラムであって、
前記文書の出力に伴って消耗する消耗品の利用度合いである利用度を取得する利用度取得ステップと、
前記文書が与える心理的効果である心理的効果情報を取得する心理的効果情報取得ステップと、
前記利用度取得ステップで取得した利用度および前記心理的効果情報取得ステップで取得した心理的効果情報に基づいて、前記消耗品の利用度合いに影響を与える編集操作を前記文書に対して行うにあたってその基礎となる文書編集基礎情報を前記心理的効果情報と対応付けて記憶した文書編集基礎情報記憶手段の文書編集基礎情報を評価する文書編集基礎情報評価ステップと、
前記文書編集基礎情報評価ステップの評価結果に基づいて、前記文書編集基礎情報記憶手段のなかから前記文書編集基礎情報を選択する文書編集基礎情報選択ステップと、
前記文書編集基礎情報選択ステップで選択した文書編集基礎情報に基づいて、前記文書に対して前記編集操作を行う文書編集操作ステップとからなる処理をコンピュータに実行させるためのプログラムを含むことを特徴とする。
【００３９】
このような構成であれば、コンピュータによってプログラムが読み取られ、読み取られたプログラムに従ってコンピュータが処理を実行すると、発明２の文書出力支援システムと同等の作用および効果が得られる。
【００４０】
〔発明１２〕  さらに、発明１２の文書出力支援プログラムは、発明１０および１１のいずれか１の文書出力支援プログラムにおいて、
前記心理的効果情報取得ステップからなる処理に代えて、前記文書に基づいて前記心理的効果情報を推定する心理的効果情報推定ステップからなる処理をコンピュータに実行させるためのプログラムを含むことを特徴とする。
このような構成であれば、コンピュータによってプログラムが読み取られ、読み取られたプログラムに従ってコンピュータが処理を実行すると、発明３の文書出力支援システムと同等の作用および効果が得られる。
【００４１】
〔発明１３〕  一方、上記目的を達成するために、発明１３の文書印刷支援プログラムは、
文書の印刷を支援する文書印刷支援プログラムであって、
複数色の着色剤を使用して前記文書を印刷する印刷装置の、前記各着色剤の残量を取得する着色剤残量取得ステップと、
前記文書が与える心理的効果である心理的効果情報を取得する心理的効果情報取得ステップと、
前記着色剤残量取得ステップで取得した残量および前記心理的効果情報取得ステップで取得した心理的効果情報に基づいて、前記着色剤の使用量に影響を与える編集操作を前記文書に対して行うにあたってその基礎となる文書編集基礎情報を前記心理的効果情報と対応付けて記憶した文書編集基礎情報記憶手段の文書編集基礎情報を評価する文書編集基礎情報評価ステップと、
前記文書編集基礎情報評価ステップの評価結果に基づいて、前記文書編集基礎情報記憶手段の文書編集基礎情報のうち複数の前記文書編集基礎情報を提示していずれかを選択すべきことを促し、前記文書編集基礎情報の選択を入力する文書編集基礎情報選択ステップと、
前記文書編集基礎情報選択ステップで選択された文書編集基礎情報に基づいて、前記文書に対して前記編集操作を行う文書編集操作ステップとからなる処理をコンピュータに実行させるためのプログラムを含むことを特徴とする。
【００４２】
このような構成であれば、コンピュータによってプログラムが読み取られ、読み取られたプログラムに従ってコンピュータが処理を実行すると、発明４の文書印刷支援システムと同等の作用および効果が得られる。
ここで、着色剤残量取得ステップは、各着色剤の残量を取得すればどのような形態であってもよく、例えば、入力装置等から残量を入力してもよいし、印刷装置またはその他の端末から残量を獲得または受信してもよいし、記憶装置等から残量を読み出してもよい。したがって、取得には、少なくとも入力、獲得、受信および読出が含まれる。以下、発明１８の文書印刷支援プログラム、並びに発明２２および２７の文書印刷支援方法において同じである。
【００４３】
〔発明１４〕  さらに、発明１４の文書印刷支援プログラムは、発明１３の文書印刷支援プログラムにおいて、
前記文書編集基礎情報評価ステップは、前記文書編集基礎情報記憶手段の文書編集基礎情報について、当該文書編集基礎情報に基づいて前記編集操作を行った文書を印刷した場合に当該文書の印刷に伴って使用される前記着色剤の使用量である予測使用量を計算し、前記文書編集基礎情報記憶手段の文書編集基礎情報のうち、前記予測使用量が、前記着色剤残量取得ステップで取得した残量を超えないものに対して高い評価値を設定し、
前記文書編集基礎情報選択ステップは、評価値の高い前記文書編集基礎情報ほど優先的に提示することを特徴とする。
このような構成であれば、コンピュータによってプログラムが読み取られ、読み取られたプログラムに従ってコンピュータが処理を実行すると、発明５の文書印刷支援システムと同等の作用および効果が得られる。
【００４４】
〔発明１５〕  さらに、発明１５の文書印刷支援プログラムは、発明１４の文書印刷支援プログラムにおいて、
前記文書編集基礎情報評価ステップは、前記文書編集基礎情報記憶手段の文書編集基礎情報について、当該文書編集基礎情報に対応する心理的効果情報と、前記心理的効果情報取得ステップで取得した心理的効果情報とが一致する度合いである一致度を求め、得られた一致度が大きいほど高い評価値を設定することを特徴とする。
このような構成であれば、コンピュータによってプログラムが読み取られ、読み取られたプログラムに従ってコンピュータが処理を実行すると、発明６の文書印刷支援システムと同等の作用および効果が得られる。
【００４５】
〔発明１６〕  さらに、発明１６の文書印刷支援プログラムは、発明１３ないし１５のいずれか１の文書印刷支援プログラムにおいて、
前記文書編集基礎情報は、前記文書の配色を規定した配色ルールであり、
前記文書編集操作ステップは、前記配色ルールに基づいて前記文書の配色を変更することを特徴とする。
【００４６】
このような構成であれば、コンピュータによってプログラムが読み取られ、読み取られたプログラムに従ってコンピュータが処理を実行すると、発明７の文書印刷支援システムと同等の作用および効果が得られる。
【００４７】
〔発明１７〕  さらに、発明１７の文書印刷支援プログラムは、発明１３ないし１６のいずれか１の文書印刷支援プログラムにおいて、
前記心理的効果情報取得ステップからなる処理に代えて、前記文書に基づいて前記心理的効果情報を推定する心理的効果情報推定ステップからなる処理をコンピュータに実行させるためのプログラムを含むことを特徴とする。
このような構成であれば、コンピュータによってプログラムが読み取られ、読み取られたプログラムに従ってコンピュータが処理を実行すると、発明８の文書印刷支援システムと同等の作用および効果が得られる。
【００４８】
〔発明１８〕  さらに、発明１８の文書印刷支援プログラムは、
文書の印刷を支援する文書印刷支援プログラムであって、
複数色の着色剤を使用して前記文書を印刷する印刷装置の、前記各着色剤の残量を取得する着色剤残量取得ステップと、
前記文書が与える心理的効果である心理的効果情報を取得する心理的効果情報取得ステップと、
前記着色剤残量取得ステップで取得した残量および前記心理的効果情報取得ステップで取得した心理的効果情報に基づいて、前記着色剤の使用量に影響を与える編集操作を前記文書に対して行うにあたってその基礎となる文書編集基礎情報を前記心理的効果情報と対応付けて記憶した文書編集基礎情報記憶手段の文書編集基礎情報を評価する文書編集基礎情報評価ステップと、
前記文書編集基礎情報評価ステップの評価結果に基づいて、前記文書編集基礎情報記憶手段のなかから前記文書編集基礎情報を選択する文書編集基礎情報選択ステップと、
前記文書編集基礎情報選択ステップで選択した文書編集基礎情報に基づいて、前記文書に対して前記編集操作を行う文書編集操作ステップとからなる処理をコンピュータに実行させるためのプログラムを含むことを特徴とする。
【００４９】
このような構成であれば、コンピュータによってプログラムが読み取られ、読み取られたプログラムに従ってコンピュータが処理を実行すると、発明９の文書印刷支援システムと同等の作用および効果が得られる。
【００５０】
〔発明１９〕  一方、上記目的を達成するために、発明１９の文書出力支援方法は、
文書の出力を支援する文書出力支援方法であって、
前記文書の出力に伴って消耗する消耗品の利用度合いである利用度を取得する利用度取得ステップと、
前記文書が与える心理的効果である心理的効果情報を取得する心理的効果情報取得ステップと、
前記利用度取得ステップで取得した利用度および前記心理的効果情報取得ステップで取得した心理的効果情報に基づいて、前記消耗品の利用度合いに影響を与える編集操作を前記文書に対して行うにあたってその基礎となる文書編集基礎情報を前記心理的効果情報と対応付けて記憶した文書編集基礎情報記憶手段の文書編集基礎情報を評価する文書編集基礎情報評価ステップと、
前記文書編集基礎情報評価ステップの評価結果に基づいて、前記文書編集基礎情報記憶手段の文書編集基礎情報のうち複数の前記文書編集基礎情報を提示していずれかを選択すべきことを促し、前記文書編集基礎情報の選択を入力する文書編集基礎情報選択ステップと、
前記文書編集基礎情報選択ステップで選択された文書編集基礎情報に基づいて、前記文書に対して前記編集操作を行う文書編集操作ステップとを含むことを特徴とする。
【００５１】
これにより、発明１の文書出力支援システムと同等の効果が得られる。
ここで、文書編集基礎情報評価ステップおよび文書編集操作ステップは、例えば、ＣＰＵ等の演算手段が行い、心理的効果情報取得ステップは、例えば、入力装置等の入力手段を介して行う。以下、発明２０の文書出力支援方法、並びに発明２２および２７の文書印刷支援方法において同じである。
【００５２】
また、利用度取得ステップは、例えば、ＣＰＵ等の演算手段が行う。以下、発明２０の文書出力支援方法において同じである。
また、文書編集基礎情報選択ステップは、例えば、ＣＰＵ等の演算手段が入力装置等の入力手段を介して行う。以下、発明２２の文書印刷支援方法において同じである。
【００５３】
〔発明２０〕  さらに、発明２０の文書出力支援方法は、
文書の出力を支援する文書出力支援方法であって、
前記文書の出力に伴って消耗する消耗品の利用度合いである利用度を取得する利用度取得ステップと、
前記文書が与える心理的効果である心理的効果情報を取得する心理的効果情報取得ステップと、
前記利用度取得ステップで取得した利用度および前記心理的効果情報取得ステップで取得した心理的効果情報に基づいて、前記消耗品の利用度合いに影響を与える編集操作を前記文書に対して行うにあたってその基礎となる文書編集基礎情報を前記心理的効果情報と対応付けて記憶した文書編集基礎情報記憶手段の文書編集基礎情報を評価する文書編集基礎情報評価ステップと、
前記文書編集基礎情報評価ステップの評価結果に基づいて、前記文書編集基礎情報記憶手段のなかから前記文書編集基礎情報を選択する文書編集基礎情報選択ステップと、
前記文書編集基礎情報選択ステップで選択した文書編集基礎情報に基づいて、前記文書に対して前記編集操作を行う文書編集操作ステップとを含むことを特徴とする。
【００５４】
これにより、発明２の文書出力支援システムと同等の効果が得られる。
ここで、文書編集基礎情報選択ステップは、例えば、ＣＰＵ等の演算手段が行う。以下、発明２７の文書印刷支援方法において同じである。
【００５５】
〔発明２１〕  さらに、発明２１の文書出力支援方法は、発明１９および２０のいずれか１の文書出力支援方法において、
前記心理的効果情報取得ステップに代えて、前記文書に基づいて前記心理的効果情報を推定する心理的効果情報推定ステップを含むことを特徴とする。
これにより、発明３の文書出力支援システムと同等の効果が得られる。
【００５６】
〔発明２２〕  一方、上記目的を達成するために、発明２２の文書印刷支援方法は、
文書の印刷を支援する文書印刷支援方法であって、
複数色の着色剤を使用して前記文書を印刷する印刷装置の、前記各着色剤の残量を取得する着色剤残量取得ステップと、
前記文書が与える心理的効果である心理的効果情報を取得する心理的効果情報取得ステップと、
前記着色剤残量取得ステップで取得した残量および前記心理的効果情報取得ステップで取得した心理的効果情報に基づいて、前記着色剤の使用量に影響を与える編集操作を前記文書に対して行うにあたってその基礎となる文書編集基礎情報を前記心理的効果情報と対応付けて記憶した文書編集基礎情報記憶手段の文書編集基礎情報を評価する文書編集基礎情報評価ステップと、
前記文書編集基礎情報評価ステップの評価結果に基づいて、前記文書編集基礎情報記憶手段の文書編集基礎情報のうち複数の前記文書編集基礎情報を提示していずれかを選択すべきことを促し、前記文書編集基礎情報の選択を入力する文書編集基礎情報選択ステップと、
前記文書編集基礎情報選択ステップで選択された文書編集基礎情報に基づいて、前記文書に対して前記編集操作を行う文書編集操作ステップとを含むことを特徴とする。
【００５７】
これにより、発明４の文書印刷支援システムと同等の効果が得られる。
ここで、着色剤残量取得ステップは、例えば、ＣＰＵ等の演算手段が行う。以下、発明２７の文書印刷支援方法において同じである。
【００５８】
〔発明２３〕  さらに、発明２３の文書印刷支援方法は、発明２２の文書印刷支援方法において、
前記文書編集基礎情報評価ステップは、前記文書編集基礎情報記憶手段の文書編集基礎情報について、当該文書編集基礎情報に基づいて前記編集操作を行った文書を印刷した場合に当該文書の印刷に伴って使用される前記着色剤の使用量である予測使用量を計算し、前記文書編集基礎情報記憶手段の文書編集基礎情報のうち、前記予測使用量が、前記着色剤残量取得ステップで取得した残量を超えないものに対して高い評価値を設定し、
前記文書編集基礎情報選択ステップは、評価値の高い前記文書編集基礎情報ほど優先的に提示することを特徴とする。
これにより、発明５の文書印刷支援システムと同等の効果が得られる。
【００５９】
〔発明２４〕  さらに、発明２４の文書印刷支援方法は、発明２３の文書印刷支援方法において、
前記文書編集基礎情報評価ステップは、前記文書編集基礎情報記憶手段の文書編集基礎情報について、当該文書編集基礎情報に対応する心理的効果情報と、前記心理的効果情報取得ステップで取得した心理的効果情報とが一致する度合いである一致度を求め、得られた一致度が大きいほど高い評価値を設定することを特徴とする。
これにより、発明６の文書印刷支援システムと同等の効果が得られる。
【００６０】
〔発明２５〕  さらに、発明２５の文書印刷支援方法は、発明２２ないし２４のいずれか１の文書印刷支援方法において、
前記文書編集基礎情報は、前記文書の配色を規定した配色ルールであり、
前記文書編集操作ステップは、前記配色ルールに基づいて前記文書の配色を変更することを特徴とする。
これにより、発明７の文書印刷支援システムと同等の効果が得られる。
【００６１】
〔発明２６〕  さらに、発明２６の文書印刷支援方法は、発明２２ないし２５のいずれか１の文書印刷支援方法において、
前記心理的効果情報取得ステップに代えて、前記文書に基づいて前記心理的効果情報を推定する心理的効果情報推定ステップを含むことを特徴とする。
これにより、発明８の文書印刷支援システムと同等の効果が得られる。
【００６２】
〔発明２７〕  さらに、発明２７の文書印刷支援方法は、
文書の印刷を支援する文書印刷支援方法であって、
複数色の着色剤を使用して前記文書を印刷する印刷装置の、前記各着色剤の残量を取得する着色剤残量取得ステップと、
前記文書が与える心理的効果である心理的効果情報を取得する心理的効果情報取得ステップと、
前記着色剤残量取得ステップで取得した残量および前記心理的効果情報取得ステップで取得した心理的効果情報に基づいて、前記着色剤の使用量に影響を与える編集操作を前記文書に対して行うにあたってその基礎となる文書編集基礎情報を前記心理的効果情報と対応付けて記憶した文書編集基礎情報記憶手段の文書編集基礎情報を評価する文書編集基礎情報評価ステップと、
前記文書編集基礎情報評価ステップの評価結果に基づいて、前記文書編集基礎情報記憶手段のなかから前記文書編集基礎情報を選択する文書編集基礎情報選択ステップと、
前記文書編集基礎情報選択ステップで選択した文書編集基礎情報に基づいて、前記文書に対して前記編集操作を行う文書編集操作ステップとを含むことを特徴とする。
【００６３】
これにより、発明９の文書印刷支援システムと同等の効果が得られる。
【発明を実施するための最良の形態】
【００６４】
以下、本発明の実施の第１の形態を図面を参照しながら説明する。図１ないし図１２は、本発明に係る文書出力支援システム、文書印刷支援システム、文書出力支援プログラムおよび文書印刷支援プログラム、並びに文書出力支援方法および文書印刷支援方法の第１の実施の形態を示す図である。
本実施の形態は、本発明に係る文書出力支援システム、文書印刷支援システム、文書出力支援プログラムおよび文書印刷支援プログラム、並びに文書出力支援方法および文書印刷支援方法を、図１に示すように、配色を施して作成したカラー文書をカラープリンタ２００で印刷する場合について適用したものである。
【００６５】
まず、本発明を適用する文書印刷システムの機能概要を図１を参照しながら説明する。
図１は、文書印刷システムの機能概要を示す機能ブロック図である。
ネットワーク１９９には、図１に示すように、カラー文書を作成する文書作成装置１００と、複数色のインクを使用してカラー印刷を行うカラープリンタ２００とが接続されている。
【００６６】
文書作成装置１００は、文書の配色を規定した配色ルールをイメージ語と対応付けて登録する配色ルール登録データベース（以下、データベースのことを単にＤＢと略記する。）１０と、カラー文書をデータとして作成する文書作成部１２と、カラープリンタ２００で印刷に使用される各インクの残量を取得するインク残量取得部１４と、カラー文書のイメージ語を入力するイメージ語入力部１６とを有して構成されている。
【００６７】
文書作成装置１００は、さらに、配色ルール登録ＤＢ１０の配色ルールを評価する配色ルール評価部１８と、複数の配色ルールを提示していずれかをユーザに選択させる配色ルール選択部２０と、配色ルール選択部２０で選択した配色ルールに基づいてカラー文書の配色を変更する配色変更部２２とを有して構成されている。
配色ルール評価部１８は、インク残量取得部１４で取得した残量に基づいて、カラープリンタ２００で印刷に使用される複数のインクのうちインク残量が最も少ないもの（以下、最小残量インクという。）を特定し、配色ルール登録ＤＢ１０の各配色ルールごとに、特定した最小残量インクについて、その配色ルールを適用した場合に使用する使用量を算出する。
【００６８】
配色ルール選択部２０は、配色ルール評価部１８で算出した使用量が少ない順に配色ルール登録ＤＢ１０の配色ルールを表示していずれかを選択すべきことを促し、配色ルールの選択を入力する。
配色変更部２２は、文書作成部１２で作成した文書データおよび配色ルール選択部２０で選択された配色ルールに基づいてカラー文書の配色を変更する。
【００６９】
文書作成装置１００は、さらに、配色変更部２２で配色を変更したカラー文書の文書データに基づいて印刷データを生成する印刷データ生成部２４と、印刷データ生成部２４で生成した印刷データをカラープリンタ２００に送信する印刷データ送信部２６とを有して構成されている。
カラープリンタ２００は、印刷データを受信する印刷データ受信部３０と、印刷データ受信部３０で受信した印刷データに基づいてカラー印刷を行う印刷部３２と、印刷部３２から各インクの残量を取得して文書作成装置１００に提供するインク残量提供部３４とを有して構成されている。
【００７０】
次に、文書作成装置１００の構成を説明する。
図２は、文書作成装置１００のハードウェア構成を示すブロック図である。
文書作成装置１００は、図２に示すように、制御プログラムに基づいて演算およびシステム全体を制御するＣＰＵ５０と、所定領域にあらかじめＣＰＵ５０の制御プログラム等を格納しているＲＯＭ５２と、ＲＯＭ５２等から読み出したデータやＣＰＵ５０の演算過程で必要な演算結果を格納するためのＲＡＭ５４と、外部装置に対してデータの入出力を媒介するＩ／Ｆ５８とで構成されており、これらは、データを転送するための信号線であるバス５９で相互にかつデータ授受可能に接続されている。
【００７１】
Ｉ／Ｆ５８には、外部装置として、配色ルール登録ＤＢ１０と、ヒューマンインターフェースとしてデータの入力が可能なキーボードやマウス等からなる入力装置６０と、データやテーブル等をファイルとして格納する記憶装置６２と、画像信号に基づいて画面を表示する表示装置６４と、ネットワーク１９９に接続するための信号線とが接続されている。
【００７２】
図３は、配色ルール登録ＤＢ１０のデータ構造を示す図である。
配色ルール登録ＤＢ１０には、図３に示すように、各配色ルールごとに１つのレコードが登録されている。各レコードは、配色ルールに対して一意に割り当てられる配色ルールＩＤを登録したフィールド４０２と、３つの色の組み合わせを配色ルールとして登録したフィールド４０４と、イメージ語を登録したフィールド４０６とを含んで登録されている。
【００７３】
図３の例では、第１段落目のレコードには、配色ルールＩＤとして「配色１」が、配色ルールとして「(102,120,149)、(238,238,226)、(126,156,150)」が、イメージ語として「知的な」がそれぞれ登録されている。これは、配色ルール１（配色ルールＩＤ「配色１」により特定される配色ルールをいう。以下、同様に略記する。）が、ＲＧＢ３原色でＤ１(102,120,149)、Ｄ２(238,238,226)、およびＤ３(126,156,150)の３つの色の組み合わせを規定している。ここで、３つ組みの数字は、Ｒ（赤）Ｇ（緑）Ｂ（青）の割合を０〜２５５の範囲で示したものであり、例えば、(0,0,0)であれば黒となり、(255,255,255)であれば白となる。また、配色ルール１の配色パターンが知的なイメージを想起させることを示している。
【００７４】
記憶装置４２は、図４に示すように、ＲＧＢ色空間とＣＭＹＫ色空間とを相互に変換可能な色空間変換テーブル４２０を記憶している。表示装置６４は、ＲＧＢ３原色の光を混色させてカラー表示を実現している（加法混色）。これに対し、カラープリンタ２００は、ＣＭＹＫの４色のインクを混色させてカラー印刷を実現している（減法混色）。これは、表示装置６４から光を放射するのに対し、インクが反射光から色を吸収することによる。したがって、表示装置６４の表示色（カラー文書の配色）をカラープリンタ２００で印刷するためには、ＲＧＢ色情報をＣＭＹＫ色情報に変換する必要がある。
【００７５】
図４は、色空間変換テーブル４２０のデータ構造を示す図である。
色空間変換テーブル４２０には、図４に示すように、あらかじめ定義された複数の色のそれぞれについて１つのレコードが登録されている。各レコードは、定義色に対して一意に割り当てられる色番号を登録したフィールド４２２と、ＲＧＢ色情報を登録したフィールド４２４と、ＣＭＹＫ色情報を登録したフィールド４２６とを含んで登録されている。
【００７６】
図４の例では、第１段目のレコードには、色番号として「１」が、ＲＧＢ色情報として「(102,120,149)」が、ＣＭＹＫ色情報として「(47,29,0,106)」がそれぞれ登録されている。これは、定義色Ｄ１（色番号「１」により特定される定義色をいう。以下、同様に略記する。）のＲＧＢ色情報が(102,120,149)であり、これをＣＭＹＫ色情報に変換すると、(47,29,0,106)になることを示している。逆変換もまた同様である。ここで、ＣＭＹＫ色情報の４つ組みの数字は、Ｃ（シアン）Ｍ（マゼンタ）Ｙ（イエロー）Ｋ（ブラック）の割合を０〜２５５の範囲で示したものである。
【００７７】
図２に戻り、ＣＰＵ５０は、マイクロプロセッシングユニット等からなり、ＲＯＭ５２の所定領域に格納されている所定のプログラムを起動させ、そのプログラムに従って、図５および図６のフローチャートに示すステータス情報取得処理および印刷要求処理をそれぞれ時分割で実行するようになっている。
初めに、ステータス情報取得処理を図５を参照しながら詳細に説明する。
【００７８】
図５は、ステータス情報取得処理を示すフローチャートである。
ステータス情報取得処理は、各インクの残量を含むステータス情報をカラープリンタ２００から取得する処理であって、ＣＰＵ５０において実行されると、図５に示すように、まず、ステップＳ１００に移行するようになっている。
ステップＳ１００では、前回の取得時から所定時間（例えば、１分）が経過したか否かを判定し、所定時間が経過したと判定したとき(Yes)は、ステップＳ１０２に移行するが、そうでないと判定したとき(No)は、所定時間が経過するまでステップＳ１００で待機する。
【００７９】
ステップＳ１０２では、ステータス情報の取得要求をカラープリンタ２００に送信し、ステップＳ１０４に移行して、各インクの残量を含むステータス情報を受信し、ステップＳ１０６に移行して、受信したステータス情報を記憶装置６２に格納し、一連の処理を終了して元の処理に復帰させる。
次に、印刷要求処理を図６を参照しながら詳細に説明する。
【００８０】
図６は、印刷要求処理を示すフローチャートである。
印刷要求処理は、カラープリンタ２００に対してカラー文書の印刷を要求する処理であって、ＣＰＵ５０において実行されると、図６に示すように、まず、ステップＳ２００に移行するようになっている。
ステップＳ２００では、文書作成部１２からの印刷要求を入力したか否かを判定し、印刷要求を入力したと判定したとき(Yes)は、ステップＳ２０２に移行するが、そうでないと判定したとき(No)は、印刷要求を入力するまでステップＳ２００で待機する。
【００８１】
ステップＳ２０２では、カラー文書の文書データを文書作成部１２から入力し、ステップＳ２０４に移行して、配色ルール登録ＤＢ１０に登録されているイメージ語の一覧を表示装置６４に表示し、ステップＳ２０６に移行して、表示した一覧のなかからイメージ語の選択を入力装置６０から入力し、ステップＳ２０８に移行する。
ステップＳ２０８では、ステータス情報を記憶装置６２から読み出し、ステップＳ２１０に移行して、読み出したステータス情報に基づいて最小残量インクを特定し、ステップＳ２１２に移行する。
【００８２】
ステップＳ２１２では、入力したイメージ語に対応する配色ルールを配色ルール登録ＤＢ１０から読み出し、ステップＳ２１４に移行して、読み出した配色ルールに基づいて、特定した最小残量インクについて、その配色ルールを適用した場合に使用する使用量を算出し、ステップＳ２１６に移行して、算出した使用量を配色ルールと対応付けて記憶装置６２に格納し、ステップＳ２１８に移行する。
【００８３】
ステップＳ２１８では、入力したイメージ語に対応するすべての配色ルールについてステップＳ２１２〜Ｓ２１６の処理が終了したか否かを判定し、入力したイメージ語に対応するすべての配色ルールについて処理が終了したと判定したとき(Yes)は、ステップＳ２２０に移行する。
ステップＳ２２０では、記憶装置６２に格納した使用量を参照して、最小残量インクの使用量が最も少ない配色ルールを配色ルール登録ＤＢ１０から読み出し、ステップＳ２２２に移行して、読み出した配色ルールの配色ＩＤその他の識別情報を表示装置６４に表示することにより配色ルールを表示し、ステップＳ２２４に移行する。
【００８４】
ステップＳ２２４では、入力したイメージ語に対応するすべての配色ルールについてステップＳ２２２の処理が終了したか否かを判定し、入力したイメージ語に対応するすべての配色ルールについて処理が終了したと判定したとき(Yes)は、ステップＳ２２６に移行する。
ステップＳ２２６では、表示した配色ルールのなかからいずれかを選択すべきことを促し、配色ルールの選択を入力装置６０から入力し、ステップＳ２２８に移行して、入力した文書データおよび選択された配色ルールに基づいてカラー文書の配色を変更し、ステップＳ２３０に移行する。
【００８５】
ステップＳ２３０では、配色を変更したカラー文書の文書データに基づいて印刷データを生成し、ステップＳ２３２に移行して、印刷要求をカラープリンタ２００に送信し、ステップＳ２３４に移行して、生成した印刷データをカラープリンタ２００に送信し、一連の処理を終了して元の処理に復帰させる。
一方、ステップＳ２２４で、入力したイメージ語に対応するいずれかの配色ルールについてステップＳ２２２の処理が終了しないと判定したとき(No)は、ステップＳ２３６に移行して、記憶装置６２に格納した使用量を参照して、最小残量インクの使用量が次に少ない配色ルールを配色ルール登録ＤＢ１０から読み出し、ステップＳ２２２に移行する。
【００８６】
一方、ステップＳ２１８で、入力したイメージ語に対応するいずれかの配色ルールについてステップＳ２１２〜Ｓ２１６の処理が終了しないと判定したとき(No)は、ステップＳ２１２に移行する。
次に、カラープリンタ２００の構成を説明する。
図７は、カラープリンタ２００のハードウェア構成を示すブロック図である。
【００８７】
カラープリンタ２００は、図７に示すように、制御プログラムに基づいて演算およびシステム全体を制御するＣＰＵ７０と、所定領域にあらかじめＣＰＵ７０の制御プログラム等を格納しているＲＯＭ７２と、ＲＯＭ７２等から読み出したデータやＣＰＵ７０の演算過程で必要な演算結果を格納するためのＲＡＭ７４と、外部装置に対してデータの入出力を媒介するＩ／Ｆ７８とで構成されており、これらは、データを転送するための信号線であるバス７９で相互にかつデータ授受可能に接続されている。
【００８８】
Ｉ／Ｆ７８には、外部装置として、ヒューマンインターフェースとしてデータの入力および表示が可能なタッチパネル等からなる操作パネル８０と、データやテーブル等をファイルとして格納する記憶装置８２と、ＣＭＹＫの４色のインクを使用してカラー印刷を行うプリンタエンジン８４と、ネットワーク１９９に接続するための信号線とが接続されている。
【００８９】
ＣＰＵ７０は、マイクロプロセッシングユニット等からなり、ＲＯＭ７２の所定領域に格納されている所定のプログラムを起動させ、そのプログラムに従って、図８および図９のフローチャートに示すステータス情報提供処理および印刷制御処理をそれぞれ時分割で実行するようになっている。
初めに、ステータス情報提供処理を図８を参照しながら詳細に説明する。
【００９０】
図８は、ステータス情報提供処理を示すフローチャートである。
ステータス情報提供処理は、図５のフローチャートに示すステータス情報取得処理に対応し、カラープリンタ２００のステータス情報を提供する処理であって、ＣＰＵ７０において実行されると、図８に示すように、まず、ステップＳ３００に移行するようになっている。
【００９１】
ステップＳ３００では、ステータス情報の取得要求を受信したか否かを判定し、取得要求を受信したと判定したとき(Yes)は、ステップＳ３０２に移行するが、そうでないと判定したとき(No)は、取得要求を受信するまでステップＳ３００で待機する。
ステップＳ３０２では、プリンタエンジン８４の管理情報ベースＭＩＢにアクセスすることによりステータス情報を取得し、ステップＳ３０４に移行して、取得したステータス情報を文書作成装置１００に送信し、一連の処理を終了して元の処理に復帰させる。
【００９２】
次に、印刷制御処理を図９を参照しながら詳細に説明する。
図９は、印刷制御処理を示すフローチャートである。
印刷制御処理は、図６のフローチャートに示す印刷要求処理に対応し、文書作成装置１００からの印刷要求に応じてカラー印刷を行う処理であって、ＣＰＵ７０において実行されると、図９に示すように、まず、ステップＳ４００に移行するようになっている。
【００９３】
ステップＳ４００では、印刷要求を受信したか否かを判定し、印刷要求を受信したと判定したとき(Yes)は、ステップＳ４０２に移行するが、そうでないと判定したとき(No)は、印刷要求を受信するまでステップＳ４００で待機する。
ステップＳ４０２では、印刷データを受信し、ステップＳ４０４に移行して、受信した印刷データに基づいてプリンタエンジン８４によりカラー印刷を行い、一連の処理を終了して元の処理に復帰させる。
【００９４】
次に、本実施の形態の動作を図１０ないし図１２を参照しながら説明する。
初めに、ステータス情報を取得する場合を説明する。
文書作成装置１００では、ステップＳ１００，Ｓ１０２を経て、所定時間ごとにステータス情報の取得要求がカラープリンタ２００に送信される。
カラープリンタ２００では、ステータス情報の取得要求を受信すると、ステップＳ３００〜Ｓ３０４を経て、各インクの残量を含むステータス情報がプリンタエンジン８４から取得され、取得されたステータス情報が文書作成装置１００に送信される。
【００９５】
文書作成装置１００では、ステータス情報を受信すると、ステップＳ１０４を経て、受信したステータス情報が記憶装置６２に格納される。
次に、カラー文書を印刷する場合を説明する。
ユーザは、文書作成装置１００において、文書作成部１２により、文書に配色を施してカラー文書を作成し、印刷要求を入力する。
【００９６】
図１０は、イメージ語の一覧を表示した表示画面である。
文書作成装置１００では、文書作成部１２からの印刷要求を入力すると、ステップＳ２０２，Ｓ２０４を経て、カラー文書の文書データが文書作成部１２から入力され、図１０に示すように、配色ルール登録ＤＢ１０に登録されているイメージ語の一覧が表示装置６４に表示される。図１０の表示画面では、「都会的な」、「カジュアルな」、「大胆な」、「伝統的な」、「知的な」、「上品な」、「純真な」、「モダンな」、「のどかな」および「さわやかな」という１０個のイメージ語が一覧として表示されているとともに、イメージ語の選択を決定するＯＫボタン５００と、イメージ語の選択を取り消すキャンセルボタン５０２とが表示されている。
【００９７】
ここで、ユーザは、カラー文書のイメージに適合すると思われるイメージ語として、例えば、「知的な」をマウス等で選択し、ＯＫボタン５００をクリックする。
文書作成装置１００では、イメージ語「知的な」が選択されると、ステップＳ２０８，Ｓ２１０を経て、ステータス情報が記憶装置６２から読み出され、読み出されたステータス情報に基づいて最小残量インクが特定される。ここで、ＣＭＹＫの４色のインクのうちシアン（Ｃ）が最小残量インクとして特定されたとする。
【００９８】
次いで、ステップＳ２１２を経て、入力されたイメージ語「知的な」に対応する配色ルールが配色ルール登録ＤＢ１０から読み出される。配色ルール登録ＤＢ１０が図３の登録内容である場合、配色ルール１〜５にイメージ語「知的な」が対応付けられているので、まず、配色ルール１が読み出される。
次いで、ステップＳ２１４を経て、配色ルール１を適用した場合に使用するシアンの使用量が算出される。配色ルール１は、Ｄ１(102,120,149)、Ｄ２(238,238,226)、およびＤ３(126,156,150)の３つの色の組み合わせを規定している。Ｄ１は、色空間変換テーブル４２０において定義色Ｄ１に該当するため、ＣＭＹＫ色情報として(47,29,0,106)に変換することができる。これにより、Ｄ１については、シアンの使用量が「４７」であることが求められる。同様に、Ｄ２，Ｄ３は、色空間変換テーブル４２０において定義色Ｄ２，Ｄ３に該当するため、ＣＭＹＫ色情報として(0,0,12,17)、(30,0,6,99)にそれぞれ変換することができる。これにより、Ｄ２，Ｄ３については、シアンの使用量が「０」、「３０」であることが求められる。したがって、配色ルール１については、シアンの使用量はそれらを合計し、４７＋０＋３３＝７７として算出することができる。
【００９９】
図１１は、配色ルール１〜５についてシアンの使用量の算出結果を示す表である。
そして、ステップＳ２１６を経て、図１１に示すように、算出された使用量「７７」が配色ルール１と対応付けられて記憶装置６２に格納される。
配色ルール２〜５についても同様に、ステップＳ２１２〜Ｓ２１６を繰り返し経て、シアンの使用量が算出され、その算出結果が記憶装置６２に格納される。算出結果は、図１１に示すように、配色ルール２については「３２」、配色ルール３については「１０４」、配色ルール４については「１０４」、配色ルール５については「１２９」となる。
【０１００】
図１２は、配色ルール１〜５を重み付けして表示した表示画面である。
文書作成装置１００では、配色ルール１〜５についてシアンの使用量が算出されると、ステップＳ２２０，Ｓ２２２，Ｓ２３６を繰り返し経て、図１２に示すように、シアンの使用量が少ない順に配色ルール１〜５が表示装置６４に表示される。図１１の算出結果から、シアンの使用量が少ない順に並べると、配色ルール２，１，３，４，５となる。したがって、図１２の表示画面では、配色ルール２，１，３，４，５がその順番で上から順に表示され、かつ、シアンの使用量が大きくなるにつれて小さく表示されている。ただし、配色ルール３，４についてはシアンの使用量が同一なので、同じ大きさで表示されている。図１２の表示画面では、さらに、配色ルールの選択を決定するＯＫボタン５０４と、配色ルールの選択を取り消すキャンセルボタン５０６とが表示されている。
【０１０１】
ここで、ユーザは、例えば、シアンの使用量が最も少ない配色ルール２をマウス等で選択し、ＯＫボタン５０４をクリックする。
文書作成装置１００では、配色ルール２が選択されると、ステップＳ２２８〜Ｓ２３４を経て、入力された文書データおよび選択された配色ルール２に基づいてカラー文書の配色が変更され、配色が変更されたカラー文書の文書データに基づいて印刷データが生成され、生成された印刷データが印刷要求とともにカラープリンタ２００に送信される。
【０１０２】
カラープリンタ２００では、印刷要求とともに印刷データを受信すると、ステップＳ４０４を経て、受信した印刷データに基づいてプリンタエンジン８４によりカラー印刷が行われる。
このようにして、本実施の形態では、配色ルールをイメージ語と対応付けて登録した配色ルール登録ＤＢ１０を備え、カラー文書のイメージ語を入力し、各インクの残量を取得し、取得した残量および入力したイメージ語に基づいて配色ルール登録ＤＢ１０の配色ルールを評価し、その評価結果に基づいて複数の配色ルールを表示していずれかを選択すべきことをユーザに促し、ユーザにより選択された配色ルールに基づいてカラー文書の配色を変更するようになっている。
【０１０３】
これにより、各インクの残量およびカラー文書のイメージを考慮して、カラー文書の配色を変更することができるので、従来に比して、インク不足によって不完全な印刷が行われる可能性を低減することができるとともに、カラー文書が与えるイメージが損なわれる可能性を低減することができる。具体的には、イメージ語「知的な」に対応する配色ルール１〜５のなかから、シアンインクが少ないにもかかわらず、シアンの使用量が多い配色ルールを選択する可能性を低減することができるとともに、「知的な」というイメージのカラー文書に対して、イメージ語「カジュアルな」に対応する配色ルールを用いてしまう可能性を低減することができる。
【０１０４】
上記第１の実施の形態において、カラープリンタ２００は、発明４、１３または２２の印刷装置に対応し、配色ルール登録ＤＢ１０は、発明１、４、１０、１３、１９または２２の文書編集基礎情報記憶手段に対応し、インク残量取得部１４およびステップＳ１０２〜Ｓ１０６は、発明１の利用度取得手段、または発明４の着色剤残量取得手段に対応している。また、ステップＳ１０２〜Ｓ１０６は、発明１０若しくは１９の利用度取得ステップ、または発明１３若しくは２２の着色剤残量取得ステップに対応し、イメージ語入力部１６、入力装置６０およびステップＳ５０６は、発明１または４の心理的効果情報取得手段に対応している。
【０１０５】
また、上記第１の実施の形態において、ステップＳ５０６は、発明１０、１３、１９または２２の心理的効果情報取得ステップに対応し、配色ルール評価部１８およびステップＳ２０８〜Ｓ２１８は、発明１または４の文書編集基礎情報評価手段に対応し、ステップＳ２０８〜Ｓ２１８は、発明１０、１３、１９または２２の文書編集基礎情報評価ステップに対応している。また、配色ルール選択部２０、入力装置６０およびステップＳ２２０〜Ｓ２２６，Ｓ２３６は、発明１または４の文書編集基礎情報選択手段に対応し、ステップＳ２２０〜Ｓ２２６，Ｓ２３６は、発明１０、１３、１９または２２の文書編集基礎情報選択ステップに対応している。
【０１０６】
また、上記第１の実施の形態において、配色変更部２２およびステップＳ２２８は、発明１、４または７の文書編集操作手段に対応し、ステップＳ２２８は、発明１０、１３、１６、１９、２２または２５の文書編集操作ステップに対応し、配色ルールは、発明１、４、７、１０、１３、１６、１９、２２または２５の文書編集基礎情報に対応している。また、イメージ語は、発明１、４、１０、１３、１９または２２の心理的効果情報に対応し、インクは、発明４、１３若しくは２２の着色剤、または発明１、１０若しくは１９の消耗品に対応している。
【０１０７】
次に、本発明の実施の第２の形態を図面を参照しながら説明する。図１３ないし図１６は、本発明に係る文書出力支援システム、文書印刷支援システム、文書出力支援プログラムおよび文書印刷支援プログラム、並びに文書出力支援方法および文書印刷支援方法の第２の実施の形態を示す図である。
本実施の形態は、本発明に係る文書出力支援システム、文書印刷支援システム、文書出力支援プログラムおよび文書印刷支援プログラム、並びに文書出力支援方法および文書印刷支援方法を、配色を施して作成したカラー文書をカラープリンタ２００で印刷する場合について適用したものであり、上記第１の実施の形態と異なるのは、各インクの使用量を予測し、ユーザが入力したイメージ語との一致度および予測した使用量に基づいて配色ルールを評価する点にある。なお、以下、上記第１の実施の形態と異なる部分についてのみ説明し、上記第１の実施の形態と重複する部分については同一の符号を付して説明を省略する。
【０１０８】
まず、文書作成装置１００の構成を説明する。
ＣＰＵ５０は、ＲＯＭ５２の所定領域に格納されている所定のプログラムを起動させ、そのプログラムに従って、図６のフローチャートに示す印刷要求処理に代えて、図１３のフローチャートに示す印刷要求処理を実行するようになっている。
図１３は、印刷要求処理を示すフローチャートである。
【０１０９】
印刷要求処理は、ＣＰＵ５０において実行されると、図１３に示すように、まず、ステップＳ５００に移行するようになっている。
ステップＳ５００では、文書作成部１２からの印刷要求を入力したか否かを判定し、印刷要求を入力したと判定したとき(Yes)は、ステップＳ５０２に移行するが、そうでないと判定したとき(No)は、印刷要求を入力するまでステップＳ５００で待機する。
【０１１０】
ステップＳ５０２では、カラー文書の文書データを文書作成部１２から入力し、ステップＳ５０４に移行して、配色ルール登録ＤＢ１０に登録されているイメージ語の一覧を表示装置６４に表示し、ステップＳ５０６に移行して、表示した一覧のなかからイメージ語の選択を入力装置６０から入力し、ステップＳ５０８に移行する。
ステップＳ５０８では、ステータス情報を記憶装置６２から読み出し、ステップＳ５１０に移行して、配色ルール登録ＤＢ１０から配色ルールを読み出し、ステップＳ５１２に移行して、入力した文書データおよび読み出した配色ルールに基づいて、各インクについて、その配色ルールを適用した場合に使用する使用量（以下、予測使用量という。）を算出し、ステップＳ５１４に移行する。
【０１１１】
ステップＳ５１４では、読み出したステータス情報に基づいて、いずれかの予測使用量が対応のインク残量を超えているか否かを判定し、いずれの予測使用量も対応のインク残量を超えていないと判定したとき(No)は、ステップＳ５１６に移行する。
ステップＳ５１６では、読み出した配色ルールに対応するイメージ語と、入力したイメージ語とが一致する度合いを示す一致度を算出する。一致度は、イメージ語が意味的に一致している度合いを示す。意味が近似している場合は「１」に近づき、意味がかけ離れている場合は「０」に近づく。例えば、イメージ語「知的な」に対してイメージ語「シックな」は、意味が近似しているので一致度を「０．８」と定義し、イメージ語「知的な」に対してイメージ語「カジュアルな」は、意味がかけ離れているので一致度を「０．１」と定義する。ステップＳ５１６では、このように定義した一致度を一致度登録テーブルに格納しておき、一致度登録テーブルを参照して、読み出した配色ルールに対応するイメージ語と、入力したイメージ語の一致度を算出する。なお、一致度の値は、「言語イメージスケール」やシソーラス等、公知の研究成果を利用して定義することができる。
【０１１２】
次いで、ステップＳ５１８に移行して、算出した一致度を評価値に設定し、ステップＳ５２０に移行して、設定した評価値を配色ルールと対応付けて記憶装置６２に格納し、ステップＳ５２２に移行する。
ステップＳ５２２では、配色ルール登録ＤＢ１０のすべての配色ルールについてステップＳ５１０〜Ｓ５２０，Ｓ５４２の処理が終了したか否かを判定し、配色ルール登録ＤＢ１０のすべての配色ルールについて処理が終了したと判定したとき(Yes)は、ステップＳ５２４に移行する。
【０１１３】
ステップＳ５２４では、記憶装置６２に格納した予測使用量を参照して、評価値が最も高い配色ルールを配色ルール登録ＤＢ１０から読み出し、ステップＳ５２６に移行して、読み出した配色ルールの配色ＩＤその他の識別情報を表示装置６４に表示することにより配色ルールを表示し、ステップＳ５２８に移行する。
ステップＳ５２８では、配色ルール登録ＤＢ１０のすべての配色ルールについてステップＳ５２６の処理が終了したか否かを判定し、配色ルール登録ＤＢ１０のすべての配色ルールについて処理が終了したと判定したとき(Yes)は、ステップＳ５３０に移行する。
【０１１４】
ステップＳ５３０では、表示した配色ルールのなかからいずれかを選択すべきことを促し、配色ルールの選択を入力装置６０から入力し、ステップＳ５３２に移行して、入力した文書データおよび選択された配色ルールに基づいてカラー文書の配色を変更し、ステップＳ５３４に移行する。
ステップＳ５３４では、配色を変更したカラー文書の文書データに基づいて印刷データを生成し、ステップＳ５３６に移行して、印刷要求をカラープリンタ２００に送信し、ステップＳ５３８に移行して、生成した印刷データをカラープリンタ２００に送信し、一連の処理を終了して元の処理に復帰させる。
【０１１５】
一方、ステップＳ５２８で、配色ルール登録ＤＢ１０のいずれかの配色ルールについてステップＳ５２６の処理が終了しないと判定したとき(No)は、ステップＳ５４０に移行して、記憶装置６２に格納した予測使用量を参照して、評価値が次に高い配色ルールを配色ルール登録ＤＢ１０から読み出し、ステップＳ５２６に移行する。
一方、ステップＳ５２２で、配色ルール登録ＤＢ１０のいずれかの配色ルールについてステップＳ５１０〜Ｓ５２０，Ｓ５４２の処理が終了しないと判定したとき(No)は、ステップＳ５１０に移行する。
【０１１６】
一方、ステップＳ５１４で、いずれかの予測使用量が対応のインク残量を超えていると判定したとき(Yes)は、ステップＳ５４２に移行して、評価値に「０」を設定し、ステップＳ５２０に移行する。
次に、本実施の形態の動作を図１４ないし図１６を参照しながら説明する。
文書作成装置１００では、文書作成部１２からの印刷要求を入力すると、ステップＳ５０２，Ｓ５０４を経て、カラー文書の文書データが文書作成部１２から入力され、配色ルール登録ＤＢ１０に登録されているイメージ語の一覧が表示装置６４に表示される。ここで、ユーザは、カラー文書のイメージに適合すると思われるイメージ語として、例えば、「知的な」を選択する。
【０１１７】
文書作成装置１００では、イメージ語「知的な」が選択されると、ステップＳ５０８を経て、ステータス情報が記憶装置６２から読み出される。次いで、ステップＳ５１２を経て、入力された文書データおよび読み出された配色ルールに基づいて、各インクの予測使用量が算出される。
図１４は、予測使用量を算出する場合を説明するための図である。
【０１１８】
例えば、図１４に示すように、カラー文書が３つの領域Ａ〜Ｃを有している場合に、配色ルールにより規定される３つの色を領域Ａ〜Ｃに割り当てることを考えると、その組み合わせは全部で６通りある。図１４の上段は、ある配色ルールの各色を領域Ａ〜Ｃに割り当てたすべての組み合わせを示し、図１４の下段は、他の配色ルールの各色を領域Ａ〜Ｃに割り当てたすべての組み合わせを示している。本実施の形態では、この６通りの組み合わせのうち最小残量インクの使用量が最も少なくなるものを選択する。例えば、最小残量インクがシアンである場合、配色ルール５については、Ｄ２(238,238,226)、Ｄ１０(130,140,157)、Ｄ９(0,38,102)の順でシアンの使用量が少ないので、領域Ａ〜Ｃに対しては、面積が最も大きい領域にＤ２を、面積が次に大きい領域にＤ１０を、面積が最も小さい領域にＤ９を割り当てる組み合わせが決定される。図１４の例では、領域Ａ〜Ｃの面積は、それぞれ「５」、「２」および「１」であるので、領域ＡにＤ２、領域ＢにＤ１０、領域ＣにＤ９を割り当てる組み合わせとなる。
【０１１９】
割当の組み合わせが決定されると、各インクについての予測使用量ＩＣ，ＩＭ，ＩＹ，ＩＫは、下式（１）〜（４）により算出することができる。ただし、下式（１）〜（４）は、最小残量インクがシアンでかつ配色ルール５の場合である。
ＩＣ  ＝  Ｄ２のシアンの使用量×領域Ａの面積
＋  Ｄ１０のシアンの使用量×領域Ｂの面積
＋  Ｄ９のシアンの使用量×領域Ｃの面積                          …（１）
ＩＭ  ＝  Ｄ２のマゼンタ（Ｍ）の使用量×領域Ａの面積
＋  Ｄ１０のマゼンタの使用量×領域Ｂの面積
＋  Ｄ９のマゼンタの使用量×領域Ｃの面積                        …（２）
ＩＹ  ＝  Ｄ２のイエロー（Ｙ）の使用量×領域Ａの面積
＋  Ｄ１０のイエローの使用量×領域Ｂの面積
＋  Ｄ９のイエローの使用量×領域Ｃの面積                        …（３）
ＩＫ  ＝  Ｄ２のブラック（Ｋ）の使用量×領域Ａの面積
＋  Ｄ１０のブラックの使用量×領域Ｂの面積
＋  Ｄ９のブラックの使用量×領域Ｃの面積                        …（４）
具体的に、配色ルール５について予測使用量ＩＣ，ＩＭ，ＩＹ，ＩＫを算出する。
【０１２０】
配色ルール５の各色Ｄ２，Ｄ９，Ｄ１０は、色空間変換テーブル４２０において定義色Ｄ２，Ｄ９，Ｄ１０に該当するため、ＣＭＹＫ色情報として(0,0,12,17)、(102,64,0,153)、(27,17,0,98)にそれぞれ変換することができる。これにより、Ｄ２，Ｄ９，Ｄ１０については、シアンの使用量が「０」、「１０２」、「２７」であり、マゼンタの使用量が「０」、「６４」、「１７」であり、イエローの使用量が「１２」、「０」、「０」であり、ブラックの使用量が「１７」、「１５３」、「９８」であることが求められる。
【０１２１】
したがって、配色ルール５について予測使用量ＩＣは、上式（１）により０×５＋２７×２＋１０２×１＝１５６となり、マゼンタの予測使用量ＩＭは、上式（２）により０×５＋１７×２＋６４×１＝９８となる。また、イエローの予測使用量ＩＹは、上式（３）により１２×５＋０×２＋０×１＝６０となり、ブラックの予測使用量ＩＫは、上式（４）により１７×５＋９８×２＋１５３×１＝４３４となる。
【０１２２】
図１５は、各インクの残量を示す表である。
図１６は、配色ルール２，５，６，７の評価結果を示す表である。
そして、ステップＳ５１４を経て、いずれかの予測使用量が対応のインク残量を超えているか否かが判定される。例えば、図１５に示すように、各インクの残量が「５０」、「７５０」、「１５００」および「１０００」である場合、配色ルール５については、シアンの予測使用量ＩＣ「１５６」がシアンのインク残量「５０」を超えていると判定されるので、ステップＳ５４２，Ｓ５２０を経て、を経て、評価値に「０」が設定され、図１６に示すように、設定された評価値「０」が配色ルール５と対応付けられて記憶装置６２に格納される。
【０１２３】
図１６の表では、その他、配色ルール２，６，７についても評価結果を示している。配色ルール２については、いずれの予測使用量も対応のインク残量を超えていないと判定されるので、ステップＳ５１６を経て、配色ルール２に対応するイメージ語「知的な」と、入力されたイメージ語「知的な」との一致度が算出される。これらは同一なので一致度は「１」として算出される。そして、ステップＳ５１８，Ｓ５２０を経て、算出された一致度「１」が評価値に設定され、設定された評価値「１」が配色ルール２と対応付けられて記憶装置６２に格納される。同様に、配色ルール６については、図１６に示すように、いずれの予測使用量も対応のインク残量を超えておらず、一致度が「０．１」なので、評価値が「０．１」となる。また、配色ルール７については、いずれの予測使用量も対応のインク残量を超えておらず、一致度が「０．８」なので、評価値が「０．８」となる。
【０１２４】
文書作成装置１００では、配色ルール登録ＤＢ１０のすべての配色ルールについて各インクの予測使用量が算出されると、ステップＳ５２４，Ｓ５２６，Ｓ５４０を繰り返し経て、評価値が高い順に配色ルールが表示装置６４に表示される。配色ルール２，５，６，７に限って言えば、図１６の評価結果から、評価値が高い順に並べると、配色ルール２，７，６，５となる。したがって、図１２の表示画面と同様に、配色ルール２，７，６，５がその順番で上から順に表示され、かつ、評価値が小さくなるにつれて小さく表示される。ここで、ユーザは、例えば、評価値が最も高い配色ルール２を選択する。
【０１２５】
文書作成装置１００では、配色ルール２が選択されると、ステップＳ５３２〜Ｓ５３８を経て、入力された文書データおよび選択された配色ルール２に基づいてカラー文書の配色が変更され、配色が変更されたカラー文書の文書データに基づいて印刷データが生成され、生成された印刷データが印刷要求とともにカラープリンタ２００に送信される。
カラープリンタ２００では、印刷要求とともに印刷データを受信すると、ステップＳ４０４を経て、受信した印刷データに基づいてプリンタエンジン８４によりカラー印刷が行われる。
【０１２６】
このようにして、本実施の形態では、配色ルールをイメージ語と対応付けて登録した配色ルール登録ＤＢ１０を備え、カラー文書のイメージ語を入力し、各インクの残量を取得し、取得した残量および入力したイメージ語に基づいて配色ルール登録ＤＢ１０の配色ルールを評価し、その評価結果に基づいて複数の配色ルールを表示していずれかを選択すべきことをユーザに促し、ユーザにより選択された配色ルールに基づいてカラー文書の配色を変更するようになっている。
【０１２７】
これにより、各インクの残量およびカラー文書のイメージを考慮して、カラー文書の配色を変更することができるので、従来に比して、インク不足によって不完全な印刷が行われる可能性を低減することができるとともに、カラー文書が与えるイメージが損なわれる可能性を低減することができる。
さらに、本実施の形態では、配色ルール登録ＤＢ１０の各配色ルールごとに予測使用量を算出し、配色ルール登録ＤＢ１０の配色ルールのうち予測使用量がインク残量を超えないものに対して高い評価値を設定し、評価値の高い配色ルールほど優先的に表示するようになっている。
【０１２８】
これにより、予測使用量がインク残量を超えない配色ルールが優先的に表示されるので、インク不足によって不完全な印刷が行われる可能性をさらに低減することができる。
さらに、本実施の形態では、配色ルール登録ＤＢ１０の各配色ルールごとに、その配色ルールに対応するイメージ語と、入力したイメージ語との一致度を算出し、算出した一致度が大きいほど高い評価値を設定し、評価値の高い配色ルールほど優先的に表示するようになっている。
【０１２９】
これにより、カラー文書のイメージ語との一致度が大きい配色ルールが優先的に表示されるので、カラー文書が与えるイメージが損なわれる可能性をさらに低減することができる。
上記第２の実施の形態において、カラープリンタ２００は、発明４、１３または２２の印刷装置に対応し、配色ルール登録ＤＢ１０は、発明１、４ないし６、１０、１３ないし１５、１９、２２ないし２４の文書編集基礎情報記憶手段に対応し、インク残量取得部１４およびステップＳ１０２〜Ｓ１０６は、発明１の利用度取得手段、または発明４若しくは５の着色剤残量取得手段に対応している。また、ステップＳ１０２〜Ｓ１０６は、発明１０若しくは１９の利用度取得ステップ、または発明１３、１４、２２若しくは２３の着色剤残量取得ステップに対応し、イメージ語入力部１６、入力装置６０およびステップＳ５０６は、発明１、４または６の心理的効果情報取得手段に対応している。
【０１３０】
また、上記第２の実施の形態において、ステップＳ５０６は、発明１０、１３、１５、１９、２２または２４の心理的効果情報取得ステップに対応し、配色ルール評価部１８およびステップＳ５０８〜Ｓ５２２は、発明１、４ないし６の文書編集基礎情報評価手段に対応し、ステップＳ５０８〜Ｓ５２２は、発明１０、１３ないし１５、１９、２２ないし２４の文書編集基礎情報評価ステップに対応している。また、配色ルール選択部２０、入力装置６０およびステップＳ５２４〜Ｓ５３０，Ｓ５４０は、発明１、４または５の文書編集基礎情報選択手段に対応し、ステップＳ５２４〜Ｓ５３０，Ｓ５４０は、発明１０、１３、１４、１９、２２または２３の文書編集基礎情報選択ステップに対応している。
【０１３１】
また、上記第２の実施の形態において、配色変更部２２およびステップＳ５３２は、発明１、４または７の文書編集操作手段に対応し、ステップＳ５３２は、発明１０、１３、１６、１９、２２または２５の文書編集操作ステップに対応し、配色ルールは、発明１、４ないし７、１０、１３ないし１６、１９、２２ないし２５の文書編集基礎情報に対応している。また、イメージ語は、発明１、４、６、１０、１３、１５、１９、２２または２４の心理的効果情報に対応し、インクは、発明４、５、１３、１４、２２若しくは２３の着色剤、または発明１、１０若しくは１９の消耗品に対応している。
【０１３２】
なお、上記第１および第２の実施の形態においては、配色ルールの評価結果に基づいて複数の配色ルールを表示していずれかを選択すべきことを促し、配色ルールの選択を入力するように構成したが、これに限らず、ユーザの選択を介さず、配色ルールの評価結果に基づいて配色ルール登録ＤＢ１０のなかから配色ルールを選択するように構成することもできる。例えば、上記第１の実施の形態においては最小残量インクの使用量が最も少ない配色ルールを、上記第２の実施の形態においては評価値が最も高い配色ルールをそれぞれ選択すればよい。
【０１３３】
この場合において、カラープリンタ２００は、発明９、１８または２７の印刷装置に対応し、配色ルール登録ＤＢ１０は、発明２、９、１１、１８、２０または２７の文書編集基礎情報記憶手段に対応し、インク残量取得部１４は、発明２の利用度取得手段、または発明９の着色剤残量取得手段に対応している。また、イメージ語入力部１６は、発明２または９の心理的効果情報取得手段に対応し、配色ルール評価部１８は、発明２または９の文書編集基礎情報評価手段に対応し、配色変更部２２は、発明２または９の文書編集操作手段に対応し、配色ルールは、発明２、９、１１、１８、２０または２７の文書編集基礎情報に対応している。
【０１３４】
また、イメージ語は、発明２、９、１１、１８、２０または２７の心理的効果情報に対応し、インクは、発明９、１８若しくは２７の着色剤、または発明２、１１若しくは２０の消耗品に対応している。
また、上記第１および第２の実施の形態においては、カラー文書のイメージ語を入力装置６０から入力するように構成したが、これに限らず、文書作成部１２で作成した文書の文書データに基づいてイメージ語を推定し、各インクの残量および推定したイメージ語に基づいて配色ルール登録ＤＢ１０の配色ルールを評価するように構成することもできる。さらに、イメージ語を推定するに限らず、例えば、カラー文書を解析してカラー文書に適用されている配色パターンを判定し、判定した配色パターンと同一または類似の配色ルールを配色ルール登録ＤＢ１０のなかから選択する。
【０１３５】
これにより、カラー文書を与えるだけでカラー文書を印刷することができるので、インクが不足してもそうでない場合と同様の手順で文書を印刷することができる。
この場合において、イメージ語は、発明３、８、１２、１７、２１または２６の心理的効果情報に対応している。
また、上記第１および第２の実施の形態においては、文書作成装置１００とカラープリンタ２００で文書印刷システムを構成したが、これに限らず、文書作成装置１００の機能をカラープリンタ２００に設け、カラープリンタ２００だけで文書印刷システムを構成することもできる。
【０１３６】
図１７は、カラープリンタ２００の機能概要を示す機能ブロック図である。
カラープリンタ２００は、図１７に示すように、配色ルール登録ＤＢ１０、文書データ入力部３６、インク残量取得部３８、イメージ語入力部１６、配色ルール評価部１８、配色ルール選択部２０、配色変更部２２、印刷データ生成部２４および印刷部３２を有して構成されている。ここで、文書データ入力部３６は、ネットワーク１９９等から文書データを入力し、インク残量取得部３８は、印刷部３２から各インクの残量を取得する。
【０１３７】
また、上記第１の実施の形態においては、ステップＳ２０４〜Ｓ２２８，Ｓ２３６の処理を必ず行うように構成したが、これに限らず、各インクの残量が十分にあるか否かを判定し、すべてのインクの残量が十分にあると判定したときは、文書作成部１２からの文書データに基づいてそのまま印刷データを生成して送信し、そうでないと判定したときは、ステップＳ２０４〜Ｓ２２８，Ｓ２３６の処理を行うように構成することもできる。
【０１３８】
また、上記第２の実施の形態においては、ステップＳ５０４〜Ｓ５３０，Ｓ５４０，Ｓ５４２の処理を必ず行うように構成したが、これに限らず、各インクの残量が十分にあるか否かを判定し、すべてのインクの残量が十分にあると判定したときは、文書作成部１２からの文書データに基づいてそのまま印刷データを生成して送信し、そうでないと判定したときは、ステップＳ５０４〜Ｓ５３０，Ｓ５４０，Ｓ５４２の処理を行うように構成することもできる。
【０１３９】
また、上記第１および第２の実施の形態においては、３つの色の組み合わせを配色ルールとして規定したが、これに限らず、２つまたは４つ以上の色の組み合わせを配色ルールとして規定することもできるし、１つの色を配色ルールとして規定することもできる。また、配色ルールの色情報も固定値ではなく数式等で規定することにより範囲を持たせてもよい。
【０１４０】
また、上記第２の実施の形態においては、色が使用するインク割合とレイアウト上の面積を用いてインクの予測使用量を算出するように構成としたが、これに限らず、ページ数や印刷部数を用いて予測使用量を算出するように構成することができる。この場合、各ページで予測使用量を算出し、それらを足し合わせたものが印刷部数１部の予測使用量となるため、それに印刷部数を掛けることにより、簡単に予測使用量を算出することが可能である。
【０１４１】
また、上記第１および第２の実施の形態においては、配色ルール登録ＤＢ１０を文書作成装置１００の外部装置として設けたが、これに限らず、カラープリンタ２００その他ネットワーク上の任意の端末に配色ルール登録ＤＢ１０を設け、文書作成装置１００とカラープリンタ２００その他の端末とをネットワークで接続し、文書作成装置１００がカラープリンタ２００その他の端末の配色ルール登録ＤＢ１０を利用するように構成することもできる。
【０１４２】
また、上記第１および第２の実施の形態において、図５、図６、図８、図９および図１３のフローチャートに示す処理を実行するにあたってはいずれも、ＲＯＭ５２，７２にあらかじめ格納されている制御プログラムを実行する場合について説明したが、これに限らず、これらの手順を示したプログラムが記憶された記憶媒体から、そのプログラムをＲＡＭ５４，７４に読み込んで実行するようにしてもよい。
【０１４３】
ここで、記憶媒体とは、ＲＡＭ、ＲＯＭ等の半導体記憶媒体、ＦＤ、ＨＤ等の磁気記憶型記憶媒体、ＣＤ、ＣＤＶ、ＬＤ、ＤＶＤ等の光学的読取方式記憶媒体、ＭＯ等の磁気記憶型／光学的読取方式記憶媒体であって、電子的、磁気的、光学的等の読み取り方法のいかんにかかわらず、コンピュータで読み取り可能な記憶媒体であれば、あらゆる記憶媒体を含むものである。
【０１４４】
また、上記第１および第２の実施の形態においては、本発明に係る文書出力支援システム、文書印刷支援システム、文書出力支援プログラムおよび文書印刷支援プログラム、並びに文書出力支援方法および文書印刷支援方法を、図１に示すように、配色を施して作成したカラー文書をカラープリンタ２００で印刷する場合について適用したが、これに限らず、本発明の主旨を逸脱しない範囲で他の場合にも適用可能である。
【図面の簡単な説明】
【０１４５】
【図１】文書印刷システムの機能概要を示す機能ブロック図である。
【図２】文書作成装置１００のハードウェア構成を示すブロック図である。
【図３】配色ルール登録ＤＢ１０のデータ構造を示す図である。
【図４】色空間変換テーブル４２０のデータ構造を示す図である。
【図５】ステータス情報取得処理を示すフローチャートである。
【図６】印刷要求処理を示すフローチャートである。
【図７】カラープリンタ２００のハードウェア構成を示すブロック図である。
【図８】ステータス情報提供処理を示すフローチャートである。
【図９】印刷制御処理を示すフローチャートである。
【図１０】イメージ語の一覧を表示した表示画面である。
【図１１】配色ルール１〜５についてシアンの使用量の算出結果を示す表である。
【図１２】配色ルール１〜５を重み付けして表示した表示画面である。
【図１３】印刷要求処理を示すフローチャートである。
【図１４】予測使用量を算出する場合を説明するための図である。
【図１５】各インクの残量を示す表である。
【図１６】配色ルール２，５，６，７の評価結果を示す表である。
【図１７】カラープリンタ２００の機能概要を示す機能ブロック図である。
【符号の説明】
【０１４６】
１００…文書作成装置，  ２００…カラープリンタ，  １０…配色ルール登録ＤＢ，  １２…文書作成部，  １４…インク残量取得部，  １６…イメージ語入力部，  １８…配色ルール評価部，  ２０…配色ルール選択部，  ２２…配色変更部，  ２４…印刷データ生成部，  ２６…印刷データ送信部，  ３０…印刷データ受信部，  ３２…印刷部，  ３４…インク残量提供部，  ３６…文書データ入力部，  ３８…インク残量取得部，  ５０，７０…ＣＰＵ，  ５２，７２…ＲＯＭ，  ５４，７４…ＲＡＭ，  ５８，７８…Ｉ／Ｆ，  ５９，７９…バス，  ６０…入力装置，  ６２，８２…記憶装置，  ６４…表示装置，  ８０…操作パネル，  ８４…プリンタエンジン，  ４２０…色空間変換テーブル，  ５００，５０４…ＯＫボタン，  ５０２，５０６…キャンセルボタン
【図１】
2006031587.tif 000003
【図２】
2006031587.tif 000004
【図３】
2006031587.tif 000005
【図４】
2006031587.tif 000006
【図５】
2006031587.tif 000007
【図６】
2006031587.tif 000008
【図７】
2006031587.tif 000009
【図８】
2006031587.tif 000010
【図９】
2006031587.tif 000011
【図１０】
2006031587.tif 000012
【図１１】
2006031587.tif 000013
【図１２】
2006031587.tif 000014
【図１３】
2006031587.tif 000015
【図１４】
2006031587.tif 000016
【図１５】
2006031587.tif 000017
【図１６】
2006031587.tif 000018
【図１７】
2006031587.tif 000019